(57)【特許請求の範囲】
【請求項１】
高解像度の動画像におけるそれぞれのフレームの画像信号が入力されると、該画像信号の領域を第１の領域と第２の領域とに分割し、該第１の領域の画像信号に対して動画像処理を施した第１の動画像データを生成する画像処理装置である第１の画像処理装置と、
前記第２の領域の画像信号に対して前記動画像処理を施した第２の動画像データを生成する画像処理装置である第２の画像処理装置と、
を備え、
前記第１の動画像データと前記第２の動画像データとを合わせた前記高解像度の動画像に対応する高解像度の動画像データと、少なくとも前記第１の画像処理装置および前記第２の画像処理装置のいずれか一方によって生成した、前記高解像度の動画像と同じ画角の低解像度の動画像に対応した低解像度の動画像データとを関連付けて記録すると共に、接続された表示デバイスが対応する画像の解像度に応じて、該記録した前記高解像度の動画像データまたは低解像度の動画像データのいずれか一方を選択する、
ことを特徴とする動画記録再生装置。
【請求項２】
当該動画記録再生装置は、
前記低解像度の動画像データに基づいた動画像を前記表示デバイスに表示させる際に、前記第１の画像処理装置または前記第２の画像処理装置のいずれか一方によって、前記表示デバイスに表示させるための、前記低解像度の動画像データに基づいた動画像を生成する、
ことを特徴とする請求項１に記載の動画記録再生装置。
【請求項３】
当該動画記録再生装置は、
前記画像信号の領域を、予め定めた割合で前記第１の領域と前記第２の領域とに分割し、
前記第１の画像処理装置と前記第２の画像処理装置とは、
対応する領域の前記画像信号に対する前記動画像処理を並列に行う、
ことを特徴とする請求項２に記載の動画記録再生装置。
【請求項４】
前記低解像度の動画像データも生成する前記画像処理装置は、
対応する領域の前記画像信号に対して施す前記動画像処理が終了した後に、前記高解像度の動画像における前記画像信号から画素数を少なくした画像信号に基づいて、前記低解像度の動画像データを生成する、
ことを特徴とする請求項３に記載の動画記録再生装置。
【請求項５】
当該動画記録再生装置は、
前記画像信号の領域を前記第１の領域と前記第２の領域とに分割する割合を不均一にし、
該分割した領域に含まれる前記画像信号の数が少ない領域に対応する前記画像処理装置は、
前記高解像度の動画像における前記画像信号から画素数を少なくした画像信号に基づいて、前記低解像度の動画像データを生成する、
ことを特徴とする請求項３または請求項４に記載の動画記録再生装置。
【請求項６】
当該動画記録再生装置は、
前記第１の画像処理装置または前記第２の画像処理装置のいずれか一方のみが、前記低解像度の動画像データを生成するように、前記画像信号の領域を前記第１の領域と前記第２の領域とに分割する割合を決定する、
ことを特徴とする請求項５に記載の動画記録再生装置。
【発明の詳細な説明】
【技術分野】
【０００１】
本発明は、動画記録再生装置に関する。
【背景技術】
【０００２】
静止画用カメラや動画用カメラなどの撮像装置は、一般的に、動画像を記録、再生する動画記録再生装置としての動画機能を備えている。撮像装置における動画機能は、撮像装置において画像処理を行う画像処理ブロック内に構成された動画記録再生装置によって実現している。
【０００３】
近年、テレビ（ＴＶ：ＴｅｌｅＶｉｓｉｏｎ）などの表示デバイスの高精細化が進み、例えば、従来のＶＧＡ（６４０×４８０）サイズのテレビに対して高精細化したフルＨＤ（１９２０×１０８０）サイズのテレビ（ＨＤＴＶ：Ｈｉｇｈ  Ｄｅｆｉｎｉｔｉｏｎ  ＴｅｌｅＶｉｓｉｏｎ）が主流になっている。また、最近では、さらに高精細化した４Ｋ２Ｋ（３８４０×２１６０）サイズのテレビ（ＵＨＤＴＶ：Ｕｌｔｒａ  Ｈｉｇｈ  Ｄｅｆｉｎｉｔｉｏｎ  ＴｅｌｅＶｉｓｉｏｎ）も実用化されてきている。このため、動画記録再生装置の動画機能においても、４Ｋ２Ｋサイズなどの高精細な動画像の記録および再生への対応が進んできている。
【０００４】
しかし、フルＨＤサイズ以上の動画像の記録や再生の機能を実現するためには、非常に高いスペックの動画コーデックによる処理が必要である。ここで、例えば、フルＨＤサイズで６０フレーム／秒（ｆｐｓ）の動画像に対する処理を、フレームレートをそのまま（つまり、６０ｆｐｓ）で、４Ｋ２Ｋサイズの動画像に対応させる場合を考える。この場合、４Ｋ２Ｋサイズの動画像は、フルＨＤサイズの動画像に対して、画像処理を行う画素数が４倍である。このため、動画コーデックが処理を行う際のクロック（動作クロック）の周波数も、４倍の周波数が必要となる。そして、この動画コーデックを、動画記録再生装置において動画機能を実現する１つの画像処理装置に備える構成にすると、この画像処理装置は、動画コーデックの動作クロックの周波数が高くなったことに伴って消費電力が増大してしまうばかりではなく、動画コーデックの回路規模の増大に伴ってコストも増大してしまう。
【０００５】
また、全ての動画記録再生装置が４Ｋ２Ｋサイズの動画像に対応するとは限らない。このため、高いスペックの動画コーデックを備えた画像処理装置を、動画記録再生装置に搭載する画像処理装置として開発することは、動画記録再生装置のコストが増大する要因にもなり、現実的な方法とはいえない。このことから、４Ｋ２Ｋサイズの動画像に対応する動画記録再生装置においては、２つ（あるいは複数）の画像処理装置を搭載し、それぞれの画像処理装置が動画像を分割して処理することによって、４Ｋ２Ｋサイズの動画像に対応する構成が考えられる。
【０００６】
例えば、特許文献１には、撮像装置に２つの画像処理部を搭載し、それぞれの画像処理部が、画角や撮影位置が異なる２つの動画像を同時に記録する技術が開示されている。この特許文献１で開示された技術では、同時に記録した動画像を重畳して、１つの表示デバイスに表示させることもできる。
【０００７】
また、例えば、特許文献２には、動画像における１フレームの全体の領域を複数に分けて並列に処理する表示処理装置の技術が開示されている。特許文献２で開示された技術では、表示処理装置内に２つの表示処理部を備え、表示する１フレームの動画像の領域を左右の２つに分けて、それぞれの表示処理部が、左側半分の動画像と右側半分の動画像とのそれぞれを並列に処理する。そして、特許文献２で開示された技術では、それぞれの領域に対応する２つの表示処理部のそれぞれが、２つの画像信号を並列に入力することができる表示デバイスに、処理した画像信号を並列に入力することによって、１フレームの動画像の全体を表示させている。
【０００８】
この特許文献１に開示された技術と特許文献２に開示された技術とを合わせて動画記録再生装置に適用することによって、４Ｋ２Ｋサイズなどの高精細な動画像に対する処理を複数の画像処理装置で行う動画記録再生装置を実現することができると考えられる。例えば、動画記録再生装置を、フルＨＤサイズに対応する動画コーデックを備えた画像処理装置を２つ備える構成にする。そして、記録する１フレームの４Ｋ２Ｋサイズの動画像の領域を、例えば、左右の２つに分割し、それぞれの画像処理装置が、２つに分割した動画像のそれぞれに対して同時（並列）に処理を行う。つまり、動画記録再生装置に備えた一方の画像処理装置が左側半分の動画像に対する処理を行い、他方の画像処理装置が右側半分の動画像に対する処理を行う。これにより、それぞれの画像処理装置に備えた動画コーデックによって圧縮（エンコード）した、４Ｋ２Ｋサイズの動画像における左側半分の動画像と右側半分の動画像とのそれぞれを同時（並列）に記録することができる。そして、それぞれの画像処理装置に備えた動画コーデックによって、２つに分けて記録されたそれぞれの動画像を並列に伸張（デコード）し、２つの画像信号を並列に入力することができる表示デバイスに出力することによって、４Ｋ２Ｋサイズの動画像を表示させる。
【０００９】
このとき、動画記録再生装置に備えた画像処理装置は、４Ｋ２Ｋサイズの動画像に対応した動画コーデックを１つ備えているのではなく、４Ｋ２Ｋサイズよりも小さいサイズ、例えば、フルＨＤサイズに対応する動画コーデックを１つ備えている。このため、それぞれの画像処理装置に備えた動画コーデックの動作クロックの周波数が高くなることを抑えることができ、画像処理装置の消費電力やコストの増大を抑えることができる。これは、それぞれの画像処理装置が、４Ｋ２Ｋサイズの動画像を左右に２つに分けた一方の動画像に対してのみ処理を行う、つまり、１／２の領域の動画像に対して処理を行うため、４Ｋ２Ｋサイズの動画像に対する処理を行う場合であっても、それぞれの画像処理装置に備えた動画コーデックの動作クロックの周波数は、４Ｋ２Ｋサイズの動画像に対応した動画コーデックの１／２の周波数でよくなるからである。
【００１０】
ところで、動画記録再生装置においては、動画記録再生装置に接続することができる外部の表示デバイスに動画像を表示させるのみではなく、動画記録再生装置に搭載した表示デバイスにも動画像を表示させる機能を備えている。ここで、動画記録再生装置に搭載する表示デバイスとしては、例えば、ＴＦＴ（薄膜トランジスター：Ｔｈｉｎ  Ｆｉｌｍ  Ｔｒａｎｓｉｓｔｏｒ）液晶ディスプレイ（ＬＣＤ：Ｌｉｑｕｉｄ  Ｃｒｙｓｔａｌ  Ｄｉｓｐｌａｙ）や、ＥＶＦ（Ｅｌｅｃｔｒｏｎｉｃ  Ｖｉｅｗ  Ｆｉｎｄｅｒ：電子ビューファインダ）などがある。なお、動画記録再生装置に接続することができる外部の表示デバイスとしては、上述したテレビの他にも、ＴＦＴモニタや、有機ＥＬ（Ｅｌｅｃｔｒｏ  Ｌｕｍｉｎｅｓｃｅｎｃｅ）ディスプレイなどの外部ディスプレイがある。
【００１１】
このように、動画記録再生装置が動画像を表示させる表示デバイスには、フレームレートや解像度が異なる様々な形式のものがある。このため、動画記録再生装置における動画機能では、様々な形式の表示デバイスに動画像を表示させることができるように対応することが求められている。つまり、フレームレートや解像度が異なるそれぞれの表示デバイスに合わせた表示を行えることが求められている。
【００１２】
しかしながら、特許文献１で開示された技術は、画角や撮影位置が異なる２つの動画像を同時に記録することができるものの、例えば、解像度が異なる動画像、すなわち、高解像度の動画像と低解像度の動画像とを、同時に処理する技術ではない。また、特許文献２で開示された技術も、分割した動画像を並列に処理するための技術であって、例えば、解像度が異なる動画像に対する処理を並列に行う技術ではない。
【００１３】
そこで、例えば、特許文献３には、常時は低画質（低解像度）で動画像を記録し、重要なシーンだけ高画質（高解像度）で記録する技術が開示されている。この特許文献３で開示された技術では、低画質で動画像を再生しているときに、高解像度の動画像を容易に検索することができる。
【先行技術文献】
【特許文献】
【００１４】
【特許文献１】特開２０１３−１６２４２５号公報
【特許文献２】特開２００６−０５３５２７号公報
【特許文献３】特開２００５−１８４０９５号公報
【発明の概要】
【発明が解決しようとする課題】
【００１５】
しかしながら、特許文献３で開示された技術は、低解像度の動画像と高解像度の動画像とを、同時に記録する技術ではない。このため、特許文献３で開示された技術では、同じ表示デバイスに、時間によって異なる解像度の動画像を表示させることになる。
【００１６】
このため、特許文献１に開示された技術と特許文献２に開示された技術とを合わせて適用した動画記録再生装置において、高解像度で記録した動画像を低解像度の画像を表示する表示デバイスに表示させる場合には、２つに分けて記録されたそれぞれの動画像をデコードした後に、一旦、分割したそれぞれの動画像を合わせて１つの動画像にする処理を行う。そして、１つに合わせた動画像の各フレームに対して、低解像度の表示デバイスが対応する解像度に変換する縮小処理などの画像処理を施してから、縮小した動画像の各フレームを表示デバイスに表示させることになる。つまり、特許文献１に開示された技術と特許文献２に開示された技術とを合わせて適用した動画記録再生装置では、低解像度の画像を表示する表示デバイスに動画像を表示させる場合であっても、動画記録再生装置に備えた２つの画像処理装置が同時（並列）に動作することになる。このため、特許文献１に開示された技術と特許文献２に開示された技術とを合わせて適用した動画記録再生装置では、低解像度の動画像を表示デバイスに表示させる場合であっても、消費電力に変わりがなく、低消費電力化を実現することができない。
【００１７】
また、特許文献１に開示された技術と特許文献２に開示された技術とを合わせて適用した動画記録再生装置では、例えば、動画記録再生装置の使用者が再生ボタンを押下するなどによって動画像を再生する指示が入力されてから、それぞれの画像処理装置内の動画コーデックがデコードした動画像を合わせる処理や、解像度を変換する処理を行う。このため、動画記録再生装置では、それぞれの処理に要する時間が、動画像を再生する指示が入力されてから実際に動画像が表示デバイスに表示されるまでの遅延時間となる。このとき、特許文献１に開示された技術と特許文献２に開示された技術とを合わせて適用した動画記録再生装置では、２つの画像処理装置が同時（並列）に、対応する動画像の処理を行うため、それぞれの画像処理装置の間で動画像のデータを送受信する必要があり、この動画像のデータの伝送時間も、動画像の再生指示の入力から動画像が表示デバイスに表示されるまでの遅延時間に加算されてしまう。このため、特許文献１に開示された技術と特許文献２に開示された技術とを合わせて適用した動画記録再生装置では、低解像度の動画像を表示デバイスに表示させる場合であっても、動画像の再生の指示を入力してから表示デバイスに動画像が表示されるまでに遅延時間（タイムラグ）が多く発生し、表示の反応（レスポンス）が遅くなる。
【００１８】
本発明は、上記の課題認識に基づいてなされたものであり、高解像度の動画像と低解像度の動画像との記録に対応すると共に、低解像度の動画像を表示デバイスに表示する際の遅延時間の短縮、および低消費電力化を実現することができる動画記録再生装置を提供することを目的としている。
【課題を解決するための手段】
【００１９】
上記の課題を解決するため、本発明の動画記録再生装置は、高解像度の動画像におけるそれぞれのフレームの画像信号が入力されると、該画像信号の領域を第１の領域と第２の領域とに分割し、該第１の領域の画像信号に対して動画像処理を施した第１の動画像データを生成する画像処理装置である第１の画像処理装置と、前記第２の領域の画像信号に対して前記動画像処理を施した第２の動画像データを生成する画像処理装置である第２の画像処理装置と、を備え、前記第１の動画像データと前記第２の動画像データとを合わせた前記高解像度の動画像に対応する高解像度の動画像データと、少なくとも前記第１の画像処理装置および前記第２の画像処理装置のいずれか一方によって生成した、前記高解像度の動画像と同じ画角の低解像度の動画像に対応した低解像度の動画像データとを関連付けて記録すると共に、接続された表示デバイスが対応する画像の解像度に応じて、該記録した前記高解像度の動画像データまたは低解像度の動画像データのいずれか一方を選択する、ことを特徴とする。
【発明の効果】
【００２０】
本発明によれば、高解像度の動画像と低解像度の動画像との記録に対応すると共に、低解像度の動画像を表示デバイスに表示する際の遅延時間の短縮、および低消費電力化を実現することができるという効果が得られる。
【図面の簡単な説明】
【００２１】
【図１】本発明の実施形態における動画記録再生装置を搭載したシステムの構成の一例を示したブロック図である。
【図２】本実施形態の動画記録再生装置において動画像を記録する第１の記録動作の一例を模式的に示した図である。
【図３】本実施形態の動画記録再生装置において動画像を再生する第１の再生動作の一例を模式的に示した図である。
【図４】本実施形態の動画記録再生装置において動画像を再生する第１の再生動作の別の一例を模式的に示した図である。
【図５】本実施形態の動画記録再生装置において動画像を時分割で処理する動作のタイミングの一例を模式的に示した図である。
【図６】本実施形態の動画記録再生装置において動画像を記録する第２の記録動作の一例を模式的に示した図である。
【図７】本実施形態の動画記録再生装置において動画像を再生する第２の再生動作の一例を模式的に示した図である。
【発明を実施するための形態】
【００２２】
以下、本発明の実施形態について、図面を参照して説明する。図１は、本実施形態における動画記録再生装置を搭載したシステムの構成の一例を示したブロック図である。なお、本実施形態の動画記録再生装置を適用するシステムの構成に関しては、何ら限定しない。図１には、撮像装置のシステム（以下、「撮像システム」という）に本実施形態の動画記録再生装置を適用した構成を示している。
【００２３】
動画記録再生装置１は、２つの画像処理装置（画像処理装置１０および画像処理装置２０）から構成される。なお、図１には、動画記録再生装置１を搭載した撮像システムに備えた撮像部２、ユーザインタフェース（Ｉ／Ｆ）部３、記録媒体４、および表示デバイス５も併せて示している。動画記録再生装置１は、撮像部２によって撮影した動画像を記録媒体４に記録する。また、動画記録再生装置１は、記録媒体４に記録された動画像を、表示デバイス５に表示させる。
【００２４】
撮像部２は、図示しないレンズによって結像された被写体の光学像を光電変換するＣＣＤ（Ｃｈａｒｇｅ  Ｃｏｕｐｌｅｄ  Ｄｅｖｉｃｅ：電荷結合素子）イメージセンサや、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ：相補型金属酸化膜半導体）イメージセンサに代表されるイメージセンサである。撮像部２は、動画記録再生装置１に高解像度の動画像を入力する入力部として、被写体光に応じて撮像した動画像におけるそれぞれのフレームの画像信号を、動画記録再生装置１に出力する。
【００２５】
なお、撮像部２は、イメージセンサが出力した画像信号に対して、キズ補正やシェーディング補正などの前処理を施す前処理部を備えた構成であってもよい。この場合、撮像部２は、前処理した後のそれぞれのフレームの画像信号を、動画記録再生装置１に出力する。なお、撮像部２は、撮像した静止画像における画像信号を出力することもできる。
【００２６】
記録媒体４は、動画記録再生装置１が出力した動画像の画像データを記録する記録部である。また、記録媒体４は、動画記録再生装置１に動画像（高解像度の動画像または低解像度の動画像）の画像データを入力する入力部として、記録している動画像の画像データを、動画記録再生装置１に出力する。記録媒体４は、例えば、ＳＤメモリカード（ＳＤ  Ｍｅｍｏｒｙ  Ｃａｒｄ）やコンパクトフラッシュ（登録商標）（ＣｏｍｐａｃｔＦｌａｓｈ（登録商標）：ＣＦ）などの記録メディアである。
【００２７】
なお、図１においては、記録媒体４も撮像システムの構成要素としているが、記録媒体４は、撮像システムに着脱可能な構成であってもよい。また、記録媒体４は、動画記録再生装置１の構成要素として備えられるものであってもよい。
【００２８】
表示デバイス５は、動画記録再生装置１が出力したそれぞれのフレームの動画像を表示する、例えば、ＴＦＴ（薄膜トランジスター：Ｔｈｉｎ  Ｆｉｌｍ  Ｔｒａｎｓｉｓｔｏｒ）液晶ディスプレイ（ＬＣＤ：Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）ディスプレイなどの表示デバイスである。表示デバイス５は、撮像部２が撮像する高解像度の動画像の画素数よりも少ない画素数の画像を表示する、つまり、低解像度の画像を表示する表示デバイスである。表示デバイス５は、撮像システムによって撮影している動画像を確認するためのＥＶＦ（Ｅｌｅｃｔｒｏｎｉｃ  Ｖｉｅｗ  Ｆｉｎｄｅｒ：電子ビューファインダ）としても機能する。
【００２９】
なお、図１においては、表示デバイス５も撮像システムの構成要素としているが、表示デバイス５は、撮像システムに着脱可能な構成であってもよい。この場合、例えば、フルＨＤ（１９２０×１０８０）の大きさ（サイズ）の画像を表示するテレビ（ＨＤＴＶ：Ｈｉｇｈ  Ｄｅｆｉｎｉｔｉｏｎ  ＴｅｌｅＶｉｓｉｏｎ）や、４Ｋ２Ｋ（３８４０×２１６０）サイズの画像を表示するテレビ（ＵＨＤＴＶ：Ｕｌｔｒａ  Ｈｉｇｈ  Ｄｅｆｉｎｉｔｉｏｎ  ＴｅｌｅＶｉｓｉｏｎ）を表示デバイス５とすることもできる。
【００３０】
ユーザインタフェース部３は、撮像システムの使用者（ユーザ）によって操作されるボタンやスイッチ類などを備えた操作部である。ユーザは、ユーザインタフェース部３を操作することによって、例えば、撮像部２が撮像した動画像を記録媒体４に記録する動作モード、記録媒体４に記録されている動画像を表示デバイス５に表示させる動作モードなど、撮像システムの動作モードを設定する。ユーザインタフェース部３は、ユーザの操作に応じて設定された撮像システムの動作モードの情報を、動画記録再生装置１に出力する。なお、ユーザインタフェース部３は、ボタンやスイッチ類のみで構成されるものではなく、例えば、タッチパッドや、表示デバイス５と共に構成されたタッチパネルであってもよい。
【００３１】
動画記録再生装置１は、上述したように、画像処理装置１０と画像処理装置２０との２つの画像処理装置から構成され、動画記録再生装置１に動画像を入力する入力部（撮像部２または記録媒体４）から入力された動画像に対して予め定めた画像処理を行う。このとき、動画記録再生装置１を構成する画像処理装置１０と画像処理装置２０とは、それぞれが連携して並列に動作することによって、動画記録再生装置１における動画機能を実現する。
【００３２】
画像処理装置１０は、制御部１００、画像縮小部１１０、画像処理部１２１、画像処理部１２２、動画コーデック部１３０、ＪＰＥＧ処理部１４０、メディアインタフェース（Ｉ／Ｆ）部１５０、表示処理部１６０、およびデータインタフェース（Ｉ／Ｆ）部１７０を備えている。
【００３３】
画像縮小部１１０は、撮像部２から入力された高解像度の動画像におけるそれぞれのフレームの画像信号に対して、例えば、間引き処理などのリサイズ処理を施して、撮像部２から入力された動画像と同じ画角で画素数が少ない動画像のそれぞれのフレームの画像信号を生成する。また、画像縮小部１１０は、生成したそれぞれのフレームの画像信号を、低解像度の動画像におけるそれぞれのフレームの画像信号として、画像処理部１２２に出力する。なお、画像縮小部１１０は、撮像部２から高解像度の静止画像が入力された場合にも、同様にリサイズ処理を施した画像信号を、画像処理部１２２に出力する。
【００３４】
画像処理部１２１は、撮像部２から入力された高解像度の動画像におけるそれぞれのフレームの画像信号に対して、ノイズ除去やＹＣ変換処理などの各種の画像処理を施して、高解像度の動画像のそれぞれのフレームの画像データを生成する。そして、画像処理部１２１は、生成したそれぞれのフレームの画像データを、動画コーデック部１３０およびＪＰＥＧ処理部１４０に出力する。なお、画像処理部１２１は、撮像部２から高解像度の静止画像が入力された場合にも、同様に画像処理を施した画像データを生成し、動画コーデック部１３０およびＪＰＥＧ処理部１４０に出力する。
【００３５】
画像処理部１２２は、画像縮小部１１０から入力された低解像度の動画像におけるそれぞれのフレームの画像信号に対して、画像処理部１２１と同様に、ノイズ除去やＹＣ変換処理などの各種の画像処理を施して、低解像度の動画像のそれぞれのフレームの画像データを生成する。そして、画像処理部１２２は、生成したそれぞれのフレームの画像データを、動画コーデック部１３０およびＪＰＥＧ処理部１４０に出力する。なお、画像処理部１２２は、画像縮小部１１０から、撮像部２から入力された高解像度の静止画像に対してリサイズ処理を施した画像信号が入力された場合にも、画像処理部１２１と同様に画像処理を施した画像データを生成し、動画コーデック部１３０およびＪＰＥＧ処理部１４０に出力する。
【００３６】
動画コーデック部１３０は、画像処理部１２１または画像処理部１２２から入力された動画像におけるそれぞれのフレームの画像データに対して、ＭＰＥＧ圧縮処理やＨ．２６４圧縮処理など、動画像を記録するための各種の動画圧縮処理（エンコード）を施して、記録用の動画像データを生成する。そして、動画コーデック部１３０は、生成した記録用の動画像データを、メディアインタフェース部１５０を介して記録媒体４に記録させる。また、動画コーデック部１３０は、データインタフェース部１７０を介して、生成した記録用の動画像データを画像処理装置２０に送信することもできる。
【００３７】
また、動画コーデック部１３０は、メディアインタフェース部１５０を介して記録媒体４から入力された記録用の動画像データに対して、ＭＰＥＧ伸張処理やＨ．２６４伸張処理など、動画像を再生するための各種の動画伸張処理（デコード）を施して、表示用の動画像データを生成する。そして、動画コーデック部１３０は、生成した表示用の動画像データを、表示処理部１６０に出力して表示デバイス５に表示させる。また、動画コーデック部１３０は、データインタフェース部１７０を介して、生成した表示用の動画像データを画像処理装置２０に送信することもできる。
【００３８】
ＪＰＥＧ処理部１４０は、画像処理部１２１または画像処理部１２２から入力された静止画像の画像データに対して、静止画像を記録するためのＪＰＥＧ（Ｊｏｉｎｔ  Ｐｈｏｔｏｇｒａｐｈｉｃ  Ｅｘｐｅｒｔｓ  Ｇｒｏｕｐ）圧縮処理を施して、記録用の静止画像データを生成し、生成した記録用の静止画像データを、メディアインタフェース部１５０を介して記録媒体４に記録させる。また、ＪＰＥＧ処理部１４０は、画像処理部１２１または画像処理部１２２から入力された動画像におけるそれぞれのフレームの画像データに対しても同様にＪＰＥＧ圧縮処理を施すことによって、連続したそれぞれのフレームの記録用の静止画像データを集めたモーションＪＰＥＧ方式の動画像データを生成することができる。そして、ＪＰＥＧ処理部１４０は、生成したモーションＪＰＥＧ方式の動画像データを、メディアインタフェース部１５０を介して記録媒体４に記録させる。また、ＪＰＥＧ処理部１４０は、データインタフェース部１７０を介して、生成した記録用の静止画像データやモーションＪＰＥＧ方式の動画像データを、画像処理装置２０に送信することもできる。
【００３９】
また、ＪＰＥＧ処理部１４０は、メディアインタフェース部１５０を介して記録媒体４から入力された記録用の静止画像データに対して、静止画像を再生するためのＪＰＥＧ伸張処理を施して表示用の静止画像データを生成し、生成した表示用の静止画像データを、表示処理部１６０に出力して表示デバイス５に表示させる。また、ＪＰＥＧ処理部１４０は、メディアインタフェース部１５０を介して記録媒体４から入力されたモーションＪＰＥＧ方式の動画像データとして集められた連続するそれぞれのフレームの記録用の静止画像データに対しても同様に、ＪＰＥＧ伸張処理を施すことによって、表示用の動画像データを生成することができる。そして、ＪＰＥＧ処理部１４０は、モーションＪＰＥＧ方式の動画像データから生成した表示用の動画像データを、表示処理部１６０に出力して表示デバイス５に表示させる。また、ＪＰＥＧ処理部１４０は、データインタフェース部１７０を介して、生成した表示用の静止画像データや、モーションＪＰＥＧ方式の動画像データから生成した表示用の動画像データを、画像処理装置２０に送信することもできる。
【００４０】
メディアインタフェース部１５０は、動画コーデック部１３０またはＪＰＥＧ処理部１４０から入力された記録用の画像データ（動画像データ、静止画像データ、モーションＪＰＥＧ方式の動画像データ）を、記録媒体４に記録させる。また、メディアインタフェース部１５０は、記録媒体４に記録している記録用の画像データを読み出し、読み出した記録用の画像データを、動画コーデック部１３０およびＪＰＥＧ処理部１４０に出力する。
【００４１】
また、メディアインタフェース部１５０は、データインタフェース部１７０を介して画像処理装置２０から送信されてきた記録用の画像データ（動画像データ、静止画像データ、モーションＪＰＥＧ方式の動画像データ）を、記録媒体４に記録させることもできる。また、メディアインタフェース部１５０は、記録媒体４から読み出した記録用の画像データを、データインタフェース部１７０を介して画像処理装置２０に送信することもできる。
【００４２】
表示処理部１６０は、動画コーデック部１３０またはＪＰＥＧ処理部１４０から入力された表示用の画像データ（動画像データ、静止画像データ、モーションＪＰＥＧ方式の動画像データ）に対して、ＯＳＤ（Ｏｎ−Ｓｃｒｅｅｎ  Ｄｉｓｐｌａｙ）表示用のデータを重畳する処理などの表示処理を施す。そして、表示処理部１６０は、表示処理した後の表示用の画像データを、接続されている表示デバイス５に出力して表示させる。また、表示処理部１６０は、画像処理部１２２から入力された画像データに対しても同様に表示処理を施し、表示デバイス５に出力して表示させる。
【００４３】
また、表示処理部１６０は、データインタフェース部１７０を介して画像処理装置２０から送信されてきた表示用の画像データ（動画像データ、静止画像データ、モーションＪＰＥＧ方式の動画像データ）に対しても同様に表示処理を施し、表示デバイス５に出力して表示させることもできる。
【００４４】
データインタフェース部１７０は、動画記録再生装置１に備えた画像処理装置２０との間でデータのやり取り（送受信）をするためのインタフェース部である。データインタフェース部１７０は、動画コーデック部１３０やＪＰＥＧ処理部１４０が生成した記録用の画像データ（動画像データ、静止画像データ、モーションＪＰＥＧ方式の動画像データ）を、画像処理装置２０に送信する。また、データインタフェース部１７０は、メディアインタフェース部１５０が記録媒体４から読み出した記録用の画像データを、画像処理装置２０に送信することもできる。また、データインタフェース部１７０は、画像処理装置２０から送信されてきた記録用の画像データ（動画像データ、静止画像データ、モーションＪＰＥＧ方式の動画像データ）を受信し、受信した記録用の画像データをメディアインタフェース部１５０に出力して記録媒体４に記録させる。
【００４５】
また、データインタフェース部１７０は、動画コーデック部１３０やＪＰＥＧ処理部１４０が生成した表示用の画像データ（動画像データ、静止画像データ、モーションＪＰＥＧ方式の動画像データ）を、画像処理装置２０に送信する。また、データインタフェース部１７０は、画像処理装置２０から送信されてきた表示用の画像データ（動画像データ、静止画像データ、モーションＪＰＥＧ方式の動画像データ）を受信し、受信した表示用の画像データを表示処理部１６０に出力することによって表示デバイス５に表示させる。
【００４６】
制御部１００は、画像処理装置１０内のそれぞれの構成要素を制御する、例えば、ＣＰＵ（Ｃｅｎｔｒａｌ  Ｐｒｏｃｅｓｓｉｎｇ  Ｕｎｉｔ）などの制御部である。制御部１００は、ユーザインタフェース部３から入力された撮像システムの動作モードの情報に基づいて、画像処理装置１０内のそれぞれの構成要素の動作を制御する。
【００４７】
また、動画記録再生装置１では、上述したように、画像処理装置１０と画像処理装置２０とのそれぞれが連携して並列に動作することによって動画記録再生装置１における動画機能を実現する。このため、制御部１００は、ユーザインタフェース部３から入力された、撮像システムの動作モードの情報や、画像処理装置２０が実行する処理の情報など、動画機能を実現するために必要な情報を、画像処理装置２０との間でやり取り（送受信）する。なお、図１に示した動画記録再生装置１の構成では、画像処理装置１０に備えた制御部１００が、マスタースレーブ方式のマスタプロセッサとして動作する。
【００４８】
画像処理装置２０は、制御部２００、画像縮小部２１０、画像処理部２２１、画像処理部２２２、動画コーデック部２３０、ＪＰＥＧ処理部２４０、メディアインタフェース（Ｉ／Ｆ）部２５０、表示処理部２６０、およびデータインタフェース（Ｉ／Ｆ）部２７０を備えている。画像処理装置２０は、画像処理装置１０と同様に、動画記録再生装置１に動画像を入力する入力部（撮像部２または記録媒体４）から入力された動画像に対して予め定めた画像処理を行う。
【００４９】
画像縮小部２１０は、画像処理装置１０に備えた画像縮小部１１０と同様に、撮像部２から入力された高解像度の動画像におけるそれぞれのフレームの画像信号に基づいて、撮像部２から入力された動画像と同じ画角で画素数が少ない動画像のそれぞれのフレームの画像信号を生成し、低解像度の動画像におけるそれぞれのフレームの画像信号として、画像処理部２２２に出力する。なお、画像縮小部２１０は、撮像部２から高解像度の静止画像が入力された場合にも、画像縮小部１１０と同様に、リサイズ処理を施した画像信号を、画像処理部２２２に出力する。
【００５０】
画像処理部２２１は、画像処理装置１０に備えた画像処理部１２１と同様に、撮像部２から入力された高解像度の動画像におけるそれぞれのフレームの画像信号に対して画像処理を施して、高解像度の動画像のそれぞれのフレームの画像データを生成し、動画コーデック部２３０およびＪＰＥＧ処理部２４０に出力する。なお、画像処理部２２１は、撮像部２から高解像度の静止画像が入力された場合にも、画像処理部１２１と同様に、画像処理を施した画像データを、動画コーデック部２３０およびＪＰＥＧ処理部２４０に出力する。
【００５１】
画像処理部２２２は、画像処理装置１０に備えた画像処理部１２２と同様に、画像縮小部２１０から入力された低解像度の動画像におけるそれぞれのフレームの画像信号に対して、画像処理部２２１と同様に画像処理を施して、低解像度の動画像のそれぞれのフレームの画像データを生成し、動画コーデック部２３０およびＪＰＥＧ処理部２４０に出力する。なお、画像処理部２２２は、画像縮小部２１０から高解像度の静止画像に対してリサイズ処理を施した画像信号が入力された場合にも、画像処理部２２１と同様に、画像処理を施した画像データを、動画コーデック部２３０およびＪＰＥＧ処理部２４０に出力する。
【００５２】
動画コーデック部２３０は、画像処理装置１０に備えた動画コーデック部１３０と同様に、画像処理部２２１または画像処理部２２２から入力された動画像におけるそれぞれのフレームの画像データに対して動画圧縮処理（エンコード）を施して、記録用の動画像データを生成し、メディアインタフェース部２５０を介して記録媒体４に記録させる。また、動画コーデック部２３０は、動画コーデック部１３０と同様に、データインタフェース部２７０を介して、生成した記録用の動画像データを画像処理装置１０に送信することもできる。
【００５３】
また、動画コーデック部２３０は、動画コーデック部１３０と同様に、メディアインタフェース部２５０を介して記録媒体４から入力された記録用の動画像データに対して動画伸張処理（デコード）を施して、表示用の動画像データを生成し、表示処理部２６０に出力して表示デバイス５に表示させる。また、動画コーデック部２３０は、動画コーデック部１３０と同様に、データインタフェース部２７０を介して、生成した表示用の動画像データを画像処理装置１０に送信することもできる。
【００５４】
ＪＰＥＧ処理部２４０は、画像処理装置１０に備えたＪＰＥＧ処理部１４０と同様に、画像処理部２２１または画像処理部２２２から入力された静止画像の画像データに対してＪＰＥＧ圧縮処理を施して記録用の静止画像データを生成し、メディアインタフェース部２５０を介して記録媒体４に記録させる。また、ＪＰＥＧ処理部２４０は、ＪＰＥＧ処理部１４０と同様に、画像処理部２２１または画像処理部２２２から入力された動画像におけるそれぞれのフレームの画像データに対しても同様にＪＰＥＧ圧縮処理を施すことによってモーションＪＰＥＧ方式の動画像データを生成し、メディアインタフェース部２５０を介して記録媒体４に記録させる。また、ＪＰＥＧ処理部２４０は、ＪＰＥＧ処理部１４０と同様に、データインタフェース部２７０を介して、生成した記録用の静止画像データやモーションＪＰＥＧ方式の動画像データを、画像処理装置１０に送信することもできる。
【００５５】
また、ＪＰＥＧ処理部２４０は、ＪＰＥＧ処理部１４０と同様に、メディアインタフェース部２５０を介して記録媒体４から入力された記録用の静止画像データに対してＪＰＥＧ伸張処理を施して表示用の静止画像データを生成し、表示処理部２６０に出力して表示デバイス５に表示させる。また、ＪＰＥＧ処理部２４０は、ＪＰＥＧ処理部１４０と同様に、メディアインタフェース部２５０を介して記録媒体４から入力されたモーションＪＰＥＧ方式の動画像データに対しても同様にＪＰＥＧ伸張処理を施すことによって表示用の動画像データを生成し、表示処理部２６０に出力して表示デバイス５に表示させる。また、ＪＰＥＧ処理部２４０は、ＪＰＥＧ処理部１４０と同様に、データインタフェース部２７０を介して、生成した表示用の静止画像データや、モーションＪＰＥＧ方式の動画像データから生成した表示用の動画像データを、画像処理装置１０に送信することもできる。
【００５６】
メディアインタフェース部２５０は、画像処理装置１０に備えたメディアインタフェース部１５０と同様に、動画コーデック部２３０またはＪＰＥＧ処理部２４０から入力された記録用の画像データ（動画像データ、静止画像データ、モーションＪＰＥＧ方式の動画像データ）を、記録媒体４に記録させる。また、メディアインタフェース部２５０は、メディアインタフェース部１５０と同様に、記録媒体４に記録している記録用の画像データを読み出して、動画コーデック部２３０およびＪＰＥＧ処理部２４０に出力する。
【００５７】
また、メディアインタフェース部２５０は、メディアインタフェース部１５０と同様に、データインタフェース部２７０を介して画像処理装置１０から送信されてきた記録用の画像データ（動画像データ、静止画像データ、モーションＪＰＥＧ方式の動画像データ）を、記録媒体４に記録させることもできる。また、メディアインタフェース部２５０は、メディアインタフェース部１５０と同様に、記録媒体４から読み出した記録用の画像データを、データインタフェース部２７０を介して画像処理装置１０に送信することもできる。
【００５８】
表示処理部２６０は、画像処理装置１０に備えた表示処理部１６０と同様に、動画コーデック部２３０またはＪＰＥＧ処理部２４０から入力された表示用の画像データ（動画像データ、静止画像データ、モーションＪＰＥＧ方式の動画像データ）に対して表示処理を施して、接続されている表示デバイス５に出力して表示させる。また、表示処理部２６０は、表示処理部１６０と同様に、画像処理部２２２から入力された画像データに対しても同様に表示処理を施し、表示デバイス５に出力して表示させる。
【００５９】
また、表示処理部２６０は、表示処理部１６０と同様に、データインタフェース部２７０を介して画像処理装置１０から送信されてきた表示用の画像データ（動画像データ、静止画像データ、モーションＪＰＥＧ方式の動画像データ）に対しても同様に表示処理を施し、表示デバイス５に出力して表示させることもできる。
【００６０】
データインタフェース部２７０は、画像処理装置１０に備えたデータインタフェース部１７０と同様に、動画記録再生装置１に備えた画像処理装置１０との間でデータのやり取り（送受信）をするためのインタフェース部である。データインタフェース部２７０は、データインタフェース部１７０と同様に、動画コーデック部２３０やＪＰＥＧ処理部２４０が生成した記録用の画像データ（動画像データ、静止画像データ、モーションＪＰＥＧ方式の動画像データ）を、画像処理装置１０に送信する。また、データインタフェース部２７０は、データインタフェース部１７０と同様に、メディアインタフェース部２５０が記録媒体４から読み出した記録用の画像データを、画像処理装置１０に送信することもできる。また、データインタフェース部２７０は、データインタフェース部１７０と同様に、画像処理装置１０から送信されてきた記録用の画像データ（動画像データ、静止画像データ、モーションＪＰＥＧ方式の動画像データ）を受信し、メディアインタフェース部２５０に出力して記録媒体４に記録させる。
【００６１】
また、データインタフェース部２７０は、データインタフェース部１７０と同様に、動画コーデック部２３０やＪＰＥＧ処理部２４０が生成した表示用の画像データ（動画像データ、静止画像データ、モーションＪＰＥＧ方式の動画像データ）を、画像処理装置１０に送信する。また、データインタフェース部２７０は、データインタフェース部１７０と同様に、画像処理装置１０から送信されてきた表示用の画像データ（動画像データ、静止画像データ、モーションＪＰＥＧ方式の動画像データ）を受信し、データを表示処理部２６０に出力することによって表示デバイス５に表示させる。
【００６２】
制御部２００は、画像処理装置１０に備えた制御部１００と同様に、画像処理装置２０内のそれぞれの構成要素を制御する制御部である。制御部２００は、画像処理装置１０に備えた制御部１００から送信されてきた、動画機能を実現するために必要な情報（撮像システムの動作モードの情報や、画像処理装置２０が実行する処理の情報など）に基づいて、画像処理装置２０内のそれぞれの構成要素の動作を制御する。また、制御部２００は、制御部１００から送信されてきた動画機能を実現するために必要な情報に応じた動作の情報を、画像処理装置１０に送信する。なお、図１に示した動画記録再生装置１の構成では、画像処理装置２０に備えた制御部２００が、マスタースレーブ方式のスレーブプロセッサとして動作する。
【００６３】
このような構成によって、動画記録再生装置１では、同様の構成の画像処理装置１０と画像処理装置２０とが連携して並列に動作することによって、撮像部２が撮像した高解像度の動画像を記録媒体４に記録するのと同時に、同じ画角の低解像度の動画像を記録媒体４に記録する。これにより、動画記録再生装置１では、低解像度の画像を表示する表示デバイス５が接続されている場合に、記録した高解像度の動画像から低解像度の動画像への変換を行うことなく、接続されている表示デバイス５に記録した高解像度の動画像に対応する低解像度の動画像を表示させることができる。
【００６４】
次に、本実施形態の動画記録再生装置１の動作について説明する。なお、以下の説明においては、動画記録再生装置１が記録する動画像の大きさ（サイズ）の一例として、撮像部２が、４Ｋ２Ｋ（３８４０×２１６０）サイズの画像信号を、高解像度の動画像におけるそれぞれのフレームの画像信号として動画記録再生装置１に出力し、表示デバイス５が、ＶＧＡ（６４０×４８０）サイズの画像を表示する、低解像度の画像に対応した表示デバイスである場合について説明する。また、画像処理装置１０に備えた動画コーデック部１３０と、画像処理装置２０に備えた動画コーデック部２３０とのそれぞれは、４Ｋ２Ｋサイズよりも小さいフルＨＤ（１９２０×１０８０）サイズの動画像に対応する動画コーデックである場合について説明する。
【００６５】
そして、撮像部２から入力された１フレームの４Ｋ２Ｋサイズの動画像の領域を水平方向に２つの領域に分割、つまり、左右の２つの領域に分割し、左側半分の領域の動画像に対する画像処理を画像処理装置１０が行い、右側半分の領域の動画像に対する画像処理を画像処理装置２０が行うものとして説明する。また、画像処理装置１０が、撮像部２から入力された１フレームの４Ｋ２Ｋサイズの動画像と同じ画角で低解像度のＶＧＡサイズの動画像を生成するものとして説明する。
【００６６】
＜第１の記録動作＞
まず、動画記録再生装置１が、高解像度の動画像と低解像度の動画像とを記録する第１の記録動作について説明する。動画記録再生装置１が動画像を記録する第１の記録動作では、画像処理装置１０に備えた動画コーデック部１３０と、画像処理装置２０に備えた動画コーデック部２３０とのそれぞれが、高解像度の動画像において対応する領域の記録用の動画像データを生成して記録媒体４に記録させると共に、画像処理装置１０に備えたＪＰＥＧ処理部１４０が、モーションＪＰＥＧ方式の記録用の動画像データを生成して記録媒体４に記録させる。なお、本第１の記録動作では、動画コーデック部１３０と動画コーデック部２３０とのそれぞれが行う動画圧縮処理（エンコード）として、ＭＰＥＧ圧縮処理を行うものとして説明する。
【００６７】
図２は、本実施形態の動画記録再生装置１において動画像を記録する第１の記録動作の一例を模式的に示した図である。図２には、図１に示した動画記録再生装置１のブロック図上に、本第１の記録動作におけるそれぞれの動画像データの経路を示している。なお、本第１の記録動作では、撮像部２から入力された高解像度の動画像のそれぞれのフレームの画像信号に基づいて生成した、それぞれのフレームの記録用の動画像データを記録媒体４に順次記録させるが、以下の説明においては、説明を容易にするため、撮像部２から入力された１つのフレームの動画像に対する処理について説明する。
【００６８】
第１の記録動作は、動画記録再生装置１を搭載した撮像システムの使用者（ユーザ）がユーザインタフェース部３を操作し、撮像システムの動作モードを、撮像部２が撮像した動画像を記録媒体４に記録する動作モード（動画記録モード）に設定することによって開始する。
【００６９】
撮像システムの動作モードが動画記録モードに設定されると、ユーザインタフェース部３は、ユーザの操作によって動画記録モードが設定されたことを表す情報を、動画記録再生装置１内の画像処理装置１０に備えた制御部１００に出力する。これにより、制御部１００は、撮像部２から入力された高解像度の動画像の右側半分の領域に対する画像処理を画像処理装置２０が実行することを表す情報を、画像処理装置２０に送信する。そして、制御部１００は、撮像部２から入力された高解像度の動画像の左側半分の領域に対する画像処理を実行するために、画像処理装置１０に備えたそれぞれの構成要素の動作を制御する。
【００７０】
画像処理装置１０における第１の記録動作では、図２に示した経路Ｃ１１の動画像データの経路で、撮像部２から入力された高解像度の動画像の左側半分の領域の画像信号に基づいて生成した記録用の動画像データ（以下、「左側ＭＰＥＧ動画像データ」という）を記録媒体４に記録させる。例えば、画像処理装置１０における第１の記録動作では、経路Ｃ１１の動画像データの経路で、撮像部２から入力された４Ｋ２Ｋサイズの動画像の左側半分の領域の画像信号に基づいて生成した左側ＭＰＥＧ動画像データを、記録媒体４に記録させる。
【００７１】
より具体的には、まず、画像処理部１２１が、撮像部２から入力された高解像度の動画像の左側半分の領域の画像信号に対して、ノイズ除去やＹＣ変換処理などの各種の画像処理を施して生成した画像データを、動画コーデック部１３０に出力する。続いて、動画コーデック部１３０は、画像処理部１２１から入力された高解像度の動画像の左側半分の領域の画像データに対して、ＭＰＥＧ圧縮処理（エンコード）を施して左側ＭＰＥＧ動画像データを生成し、メディアインタフェース部１５０に出力する。
【００７２】
例えば、まず、画像処理部１２１が、撮像部２から入力された４Ｋ２Ｋサイズの動画像の左側半分の領域の画像信号に対して画像処理を施して生成した画像データを動画コーデック部１３０に出力し、動画コーデック部１３０が、画像処理部１２１から入力された４Ｋ２Ｋサイズの動画像の左側半分の領域の画像データに対してＭＰＥＧ圧縮処理を施して生成した左側ＭＰＥＧ動画像データをメディアインタフェース部１５０に出力する。
【００７３】
一方、制御部２００は、画像処理装置１０に備えた制御部１００から送信された、画像処理を実行することを表す情報に応じて、撮像部２から入力された高解像度の動画像の右側半分の領域に対する画像処理を実行するために、画像処理装置２０に備えたそれぞれの構成要素の動作を制御する。
【００７４】
画像処理装置２０における第１の記録動作では、図２に示した経路Ｃ１２の動画像データの経路で、撮像部２から入力された高解像度の動画像の右側半分の領域の画像信号に基づいて生成した記録用の動画像データ（以下、「右側ＭＰＥＧ動画像データ」という）を記録媒体４に記録させる。例えば、画像処理装置２０における第１の記録動作では、経路Ｃ１２の動画像データの経路で、撮像部２から入力された４Ｋ２Ｋサイズの動画像の右側半分の領域の画像信号に基づいて生成した右側ＭＰＥＧ動画像データを、記録媒体４に記録させる。
【００７５】
より具体的には、まず、画像処理部２２１が、撮像部２から入力された高解像度の動画像の右側半分の領域の画像信号に対して、画像処理装置１０に備えた画像処理部１２１と同様に、ノイズ除去やＹＣ変換処理などの各種の画像処理を施して生成した画像データを、動画コーデック部２３０に出力する。続いて、動画コーデック部２３０は、画像処理装置１０に備えた動画コーデック部１３０と同様に、画像処理部２２１から入力された高解像度の動画像の右側半分の領域の画像データに対して、ＭＰＥＧ圧縮処理（エンコード）を施して右側ＭＰＥＧ動画像データを生成し、データインタフェース部２７０に出力する。これにより、データインタフェース部２７０は、動画コーデック部２３０から入力された右側ＭＰＥＧ動画像データを、画像処理装置１０に送信する。そして、データインタフェース部１７０は、画像処理装置２０に備えたデータインタフェース部２７０から送信されてきた右側ＭＰＥＧ動画像データを受信し、メディアインタフェース部１５０に出力する。
【００７６】
例えば、まず、画像処理部２２１が、撮像部２から入力された４Ｋ２Ｋサイズの動画像の右側半分の領域の画像信号に対して画像処理を施して生成した画像データを動画コーデック部２３０に出力し、動画コーデック部２３０が、画像処理部２２１から入力された４Ｋ２Ｋサイズの動画像の右側半分の領域の画像データに対してＭＰＥＧ圧縮処理を施して生成した右側ＭＰＥＧ動画像データをデータインタフェース部２７０に出力する。そして、データインタフェース部２７０が、動画コーデック部２３０から入力された右側ＭＰＥＧ動画像データを画像処理装置１０に送信して、データインタフェース部１７０が、受信した右側ＭＰＥＧ動画像データをメディアインタフェース部１５０に出力する。
【００７７】
また、画像処理装置１０における第１の記録動作では、左側ＭＰＥＧ動画像データおよび右側ＭＰＥＧ動画像データの記録媒体４への記録動作と同時に、図２に示した経路Ｃ１３の動画像データの経路で、撮像部２から入力された高解像度の動画像と同じ画角で低解像度のモーションＪＰＥＧ方式の記録用の動画像データ（以下、「モーションＪＰＥＧ動画像データ」という）を、記録媒体４に記録させる。例えば、画像処理装置１０における第１の記録動作では、経路Ｃ１３の動画像データの経路で、撮像部２から入力された４Ｋ２Ｋサイズの動画像と同じ画角のＶＧＡサイズのモーションＪＰＥＧ動画像データを記録媒体４に記録させる。
【００７８】
より具体的には、まず、画像縮小部１１０が、撮像部２から入力された高解像度の動画像の画像信号に対して、例えば、間引き処理などのリサイズ処理を施して生成した、高解像度の動画像と同じ画角で画素数が少ない低解像度の動画像の画像信号を、画像処理部１２２に出力する。これにより、画像処理部１２２は、画像縮小部１１０から入力された低解像度の動画像の画像信号に対して、画像処理部１２１と同様に、ノイズ除去やＹＣ変換処理などの各種の画像処理を施して生成した低解像度の動画像の画像データを、ＪＰＥＧ処理部１４０に出力する。続いて、ＪＰＥＧ処理部１４０は、画像処理部１２２から入力された低解像度の動画像の画像データに対して、ＪＰＥＧ圧縮処理を施してモーションＪＰＥＧ動画像データを生成し、メディアインタフェース部１５０に出力する。
【００７９】
例えば、まず、画像縮小部１１０が、撮像部２から入力された４Ｋ２Ｋサイズの動画像の画像信号に対してリサイズ処理を施して生成したＶＧＡサイズの動画像の画像信号を画像処理部１２２に出力し、画像処理部１２２が、画像縮小部１１０から入力されたＶＧＡサイズの動画像の画像信号に対して画像処理を施して生成したＶＧＡサイズの動画像の画像データをＪＰＥＧ処理部１４０に出力する。そして、ＪＰＥＧ処理部１４０が、画像処理部１２２から入力されたＶＧＡサイズの動画像の画像データに対してＪＰＥＧ圧縮処理を施して生成したモーションＪＰＥＧ動画像データをメディアインタフェース部１５０に出力する。
【００８０】
これにより、第１の記録動作では、メディアインタフェース部１５０が、動画コーデック部１３０から入力された左側ＭＰＥＧ動画像データと、データインタフェース部１７０から入力された右側ＭＰＥＧ動画像データをと合わせて、撮像部２から入力された高解像度の動画像における記録用の動画像データ（以下、「ＭＰＥＧ動画像データ」という）として、記録媒体４に記録させる。また、メディアインタフェース部１５０は、ＪＰＥＧ処理部１４０から入力されたモーションＪＰＥＧ動画像データを、撮像部２から入力された高解像度の動画像に対応する低解像度の記録用の動画像データとして、記録媒体４に記録させる。例えば、メディアインタフェース部１５０が、動画コーデック部１３０から入力された左側ＭＰＥＧ動画像データと、データインタフェース部１７０から入力された右側ＭＰＥＧ動画像データをと合わせた４Ｋ２ＫサイズのＭＰＥＧ動画像データを記録媒体４に記録させ、ＪＰＥＧ処理部１４０から入力されたＶＧＡサイズのモーションＪＰＥＧ動画像データを記録媒体４に記録させる。このとき、メディアインタフェース部１５０は、ＭＰＥＧ動画像データとモーションＪＰＥＧ動画像データとを関連付けて記録媒体４に記録する。
【００８１】
このように、第１の記録動作では、動画記録再生装置１に備えた、高解像度の動画像よりも小さいサイズの動画像に対応する動画コーデックを備えた２つの画像処理装置１０および画像処理装置２０が連携して並列に画像処理を行うことによって、高解像度の動画像における記録用の動画像データを記録媒体４に記録する。また、第１の記録動作では、画像処理装置１０が、撮像部２から入力された高解像度の動画像と同じ画角の低解像度の動画像に対する画像処理を、高解像度の動画像に対する画像処理と並列に行うことによって、高解像度の動画像と同じ画角の低解像度の動画像における記録用の動画像データを記録媒体４に記録する。例えば、フルＨＤ（１９２０×１０８０）サイズの動画像に対応する動画コーデックを備えた２つの画像処理装置１０および画像処理装置２０が連携して、撮像部２から入力された高解像度の動画像の左側半分の領域に対する画像処理と右側半分の領域に対する画像処理とを並列に行うことによって、４Ｋ２Ｋ（３８４０×２１６０）サイズの動画像データを記録媒体４に記録する。また、画像処理装置１０が、撮像部２から入力された４Ｋ２Ｋサイズの動画像と同じ画角のＶＧＡサイズの動画像に対する画像処理を並列に行うことによって、４Ｋ２Ｋサイズの動画像と同じ画角のＶＧＡサイズの動画像データを記録媒体４に記録する。
【００８２】
これにより、動画記録再生装置１では、ＶＧＡサイズの画像を表示する表示デバイス５が接続されている場合に、記録した４Ｋ２Ｋサイズの動画像からＶＧＡサイズの動画像への変換を行うことなく、接続されている表示デバイス５に、記録した４Ｋ２Ｋサイズの動画像に対応するＶＧＡサイズの動画像を表示させることができる。
【００８３】
＜第１の再生動作＞
続いて、動画記録再生装置１が、低解像度の動画像を再生する第１の再生動作について説明する。動画記録再生装置１が低解像度の動画像を再生する第１の再生動作では、画像処理装置１０に備えたＪＰＥＧ処理部１４０が、記録媒体４に記録されたモーションＪＰＥＧ方式の記録用の動画像データに応じた表示用の動画像データを生成して表示デバイス５に表示させる。
【００８４】
図３は、本実施形態の動画記録再生装置１において動画像を再生する第１の再生動作の一例を模式的に示した図である。図３には、図１に示した動画記録再生装置１のブロック図上に、本第１の再生動作におけるそれぞれの動画像データの経路を示している。なお、本第１の再生動作では、記録媒体４に記録されたモーションＪＰＥＧ動画像データとして集められた連続するそれぞれのフレームの記録用の静止画像データに基づいて生成した表示用の動画像データを表示デバイス５に順次表示させるが、以下の説明においては、説明を容易にするため、記録媒体４から入力された１つのフレームのモーションＪＰＥＧ動画像データに対する処理について説明する。
【００８５】
第１の再生動作は、動画記録再生装置１を搭載した撮像システムの使用者（ユーザ）がユーザインタフェース部３を操作し、撮像システムの動作モードを、記録媒体４に記録されている動画像を表示デバイス５に表示させる動作モード（動画再生モード）に設定することによって開始する。
【００８６】
撮像システムの動作モードが動画再生モードに設定されると、ユーザインタフェース部３は、ユーザの操作によって動画再生モードが設定されたことを表す情報を、動画記録再生装置１内の画像処理装置１０に備えた制御部１００に出力する。これにより、制御部１００は、記録媒体４からモーションＪＰＥＧ動画像データを読み出して、読み出したモーションＪＰＥＧ動画像データに対する画像処理を実行するために、画像処理装置１０に備えたそれぞれの構成要素の動作を制御する。なお、動画記録再生装置１に接続されている表示デバイス５は、ＶＧＡサイズの画像を表示する低解像度の画像に対応した表示デバイスであるため、制御部１００は、動画再生モードに関する情報を、画像処理装置２０には送信しない。
【００８７】
画像処理装置１０における第１の再生動作では、図３に示した経路Ｃ１４の動画像データの経路で、記録媒体４から読み出したモーションＪＰＥＧ動画像データに基づいて生成した表示用の動画像データを、表示デバイス５に表示させる。例えば、画像処理装置１０における第１の再生動作では、経路Ｃ１４の動画像データの経路で、記録媒体４から読み出したＶＧＡサイズのモーションＪＰＥＧ動画像データに基づいて生成したＶＧＡサイズの表示用の動画像データを、表示デバイス５に表示させる。
【００８８】
より具体的には、まず、メディアインタフェース部１５０が、記録媒体４に記録されたモーションＪＰＥＧ動画像データを読み出し、読み出したモーションＪＰＥＧ動画像データをＪＰＥＧ処理部１４０に出力する。続いて、ＪＰＥＧ処理部１４０は、メディアインタフェース部１５０から入力されたモーションＪＰＥＧ動画像データに対してＪＰＥＧ伸張処理を施して表示用の動画像データを生成し、表示処理部１６０に出力する。これにより、表示処理部１６０が、ＪＰＥＧ処理部１４０から入力された表示用の動画像データに対して表示処理を施し、表示処理部を施した後の表示用の画像データを、接続されている表示デバイス５に出力して表示させる。
【００８９】
例えば、まず、メディアインタフェース部１５０が、記録媒体４に記録されたＶＧＡサイズのモーションＪＰＥＧ動画像データを読み出してＪＰＥＧ処理部１４０に出力し、ＪＰＥＧ処理部１４０が、メディアインタフェース部１５０から入力されたＶＧＡサイズのモーションＪＰＥＧ動画像データに対してＪＰＥＧ伸張処理を施して生成したＶＧＡサイズの表示用の動画像データを表示処理部１６０に出力する。これにより、表示処理部１６０が、ＪＰＥＧ処理部１４０から入力されたＶＧＡサイズの表示用の動画像データに対して表示処理を施した後の表示用の画像データを表示デバイス５に出力して表示させる。
【００９０】
このように、第１の再生動作では、動画記録再生装置１に備えた１つの画像処理装置１０が画像処理を行うことによって、高解像度の動画像と同じ画角で画素数が少ない低解像度の動画像に応じた表示用の動画像データを、低解像度の画像に対応した表示デバイス５に表示させる。例えば、画像処理装置１０が、４Ｋ２Ｋ（３８４０×２１６０）サイズの動画像データと関連付けて記録媒体４に記録されたＶＧＡサイズの動画像データを読み出して画像処理を行うことによって、画像処理装置１０のみでＶＧＡサイズの動画像を表示デバイス５に表示させる。
【００９１】
このように、動画記録再生装置１では、ＶＧＡサイズの画像を表示する表示デバイス５が接続されている場合に、記録した４Ｋ２Ｋサイズの動画像データに対応するＶＧＡサイズの動画像における表示用の動画像データへの変換を行うことなく、接続されている表示デバイス５にＶＧＡサイズの動画像を表示させることができる。
【００９２】
なお、第１の再生動作では、動画記録再生装置１にＶＧＡサイズの画像を表示する低解像度の画像に対応した表示デバイス５が接続されているため、画像処理装置１０のみが、記録媒体４に記録されているＶＧＡサイズのモーションＪＰＥＧ動画像データを読み出して、表示デバイス５に表示用の動画像データを表示させる場合を示した。しかし、仮に、動画記録再生装置１に、４Ｋ２Ｋサイズの画像を表示する高解像度の画像に対応した表示デバイスが接続されている場合には、画像処理装置１０と画像処理装置２０とが連携して並列に動作することによって、記録媒体４に記録されているＭＰＥＧ動画像データに応じた表示用の動画像データを表示させることになる。
【００９３】
ここで、動画記録再生装置１が、高解像度の動画像を再生する第１の再生動作について説明する。動画記録再生装置１が高解像度の動画像を再生する第１の再生動作（以下、「第１Ａの再生動作」という）では、動画記録再生装置１に接続された表示デバイス５が、４Ｋ２Ｋ（３８４０×２１６０）サイズの画像を表示する、高解像度の画像に対応した表示デバイスであるものとして説明する。そして、記録媒体４に記録されたＭＰＥＧ動画像データの１フレームの４Ｋ２Ｋサイズの動画像の領域を水平方向に２つの領域に分割、つまり、左右の２つの領域に分割し、左側半分の領域の動画像に対する表示用の動画像データの生成を画像処理装置１０が行い、右側半分の領域の動画像に対する表示用の動画像データの生成を画像処理装置２０が行うものとして説明する。
【００９４】
図４は、本実施形態の動画記録再生装置において動画像を再生する第１の再生動作の別の一例を模式的に示した図である。図４には、図１に示した動画記録再生装置１のブロック図上に、本第１Ａの再生動作におけるそれぞれの動画像データの経路を示している。なお、本第１Ａの再生動作では、記録媒体４に記録されたＭＰＥＧ動画像データのそれぞれのフレームの記録用の動画像データに基づいて生成した表示用の動画像データを表示デバイス５に順次表示させるが、以下の説明においては、説明を容易にするため、記録媒体４から入力された１つのフレームのＭＰＥＧ動画像データに対する処理について説明する。
【００９５】
第１Ａの再生動作は、動画記録再生装置１を搭載した撮像システムの使用者（ユーザ）がユーザインタフェース部３を操作し、撮像システムの動作モードを動画再生モードに設定することによって開始する。
【００９６】
撮像システムの動作モードが動画再生モードに設定されると、ユーザインタフェース部３は、ユーザの操作によって動画再生モードが設定されたことを表す情報を、動画記録再生装置１内の画像処理装置１０に備えた制御部１００に出力する。これにより、制御部１００は、記録媒体４から読み出したＭＰＥＧ動画像データの右側半分の領域に対する画像処理を画像処理装置２０が実行することを表す情報を、画像処理装置２０に送信する。そして、制御部１００は、記録媒体４から読み出したＭＰＥＧ動画像データの左側半分の領域に対する画像処理を実行するために、画像処理装置１０に備えたそれぞれの構成要素の動作を制御する。
【００９７】
画像処理装置１０における第１Ａの再生動作では、図４に示した経路Ｃ１５の動画像データの経路で、記録媒体４から読み出したＭＰＥＧ動画像データの左側半分の動画像データに基づいて生成した表示用の動画像データ（以下、「左側表示動画像データ」という）を、表示デバイス５に表示させる。例えば、画像処理装置１０における第１Ａの再生動作では、経路Ｃ１５の動画像データの経路で、記録媒体４から読み出した４Ｋ２ＫサイズのＭＰＥＧ動画像データの左側半分の動画像データに基づいて生成した左側表示動画像データを、表示デバイス５に表示させる。
【００９８】
より具体的には、まず、メディアインタフェース部１５０が、記録媒体４に記録されたＭＰＥＧ動画像データを読み出し、読み出したＭＰＥＧ動画像データの左側半分の動画像データを動画コーデック部１３０に出力する。続いて、動画コーデック部１３０は、メディアインタフェース部１５０から入力されたＭＰＥＧ動画像データの左側半分の動画像データに対して、ＭＰＥＧ伸張処理（デコード）を施して左側表示動画像データを生成し、表示処理部１６０に出力する。
【００９９】
例えば、まず、メディアインタフェース部１５０が、記録媒体４に記録された４Ｋ２ＫサイズのＭＰＥＧ動画像データを読み出して、左側半分の動画像データを動画コーデック部１３０に出力し、動画コーデック部１３０が、メディアインタフェース部１５０から入力されたＭＰＥＧ動画像データの左側半分の動画像データに対してＭＰＥＧ伸張処理を施して生成した左側表示動画像データを表示処理部１６０に出力する。
【０１００】
一方、制御部２００は、画像処理装置１０に備えた制御部１００から送信された、画像処理を実行することを表す情報に応じて、記録媒体４から読み出したＭＰＥＧ動画像データの右側半分の領域に対する画像処理を実行するために、画像処理装置２０に備えたそれぞれの構成要素の動作を制御する。
【０１０１】
画像処理装置２０における第１Ａの再生動作では、図４に示した経路Ｃ１６の動画像データの経路で、記録媒体４から読み出したＭＰＥＧ動画像データの右側半分の動画像データに基づいて生成した表示用の動画像データ（以下、「右側表示動画像データ」という）を、表示デバイス５に表示させる。例えば、画像処理装置２０における第１Ａの再生動作では、経路Ｃ１６の動画像データの経路で、記録媒体４から読み出した４Ｋ２ＫサイズのＭＰＥＧ動画像データの右側半分の動画像データに基づいて生成した右側表示動画像データを、表示デバイス５に表示させる。
【０１０２】
より具体的には、まず、メディアインタフェース部１５０が、記録媒体４から読み出したＭＰＥＧ動画像データの右側半分の動画像データをデータインタフェース部１７０に出力する。これにより、データインタフェース部１７０は、メディアインタフェース部１５０から入力されたＭＰＥＧ動画像データの右側半分の動画像データを、画像処理装置２０に送信する。そして、データインタフェース部２７０は、画像処理装置１０に備えたデータインタフェース部１７０から送信されてきたＭＰＥＧ動画像データの右側半分の動画像データを受信し、動画コーデック部２３０に出力する。続いて、動画コーデック部２３０は、画像処理装置１０に備えた動画コーデック部１３０と同様に、データインタフェース部２７０から入力されたＭＰＥＧ動画像データの右側半分の動画像データに対して、ＭＰＥＧ伸張処理（デコード）を施して右側表示動画像データを生成し、データインタフェース部２７０に出力する。これにより、データインタフェース部２７０は、動画コーデック部２３０から入力された右側表示動画像データを、画像処理装置１０に送信する。そして、データインタフェース部１７０は、画像処理装置２０に備えたデータインタフェース部２７０から送信されてきた右側表示動画像データを受信し、表示処理部１６０に出力する。
【０１０３】
例えば、まず、メディアインタフェース部１５０が、記録媒体４から読み出した４Ｋ２ＫサイズのＭＰＥＧ動画像データの右側半分の動画像データをデータインタフェース部１７０に出力し、データインタフェース部１７０が画像処理装置２０に送信、データインタフェース部２７０が受信して、動画コーデック部２３０に出力する。そして、動画コーデック部１３０が、データインタフェース部２７０から入力されたＭＰＥＧ動画像データの右側半分の動画像データに対してＭＰＥＧ伸張処理を施して生成した右側表示動画像データをデータインタフェース部２７０に出力し、データインタフェース部２７０が画像処理装置２０に送信、データインタフェース部１７０が受信して、表示処理部１６０に出力する。
【０１０４】
これにより、第１Ａの再生動作では、表示処理部１６０が、動画コーデック部１３０から入力された左側表示動画像データと、データインタフェース部２７０およびデータインタフェース部１７０を介して動画コーデック部２３０から入力された右側表示動画像データをと合わせて表示処理を施し、表示処理部を施した後の動画像データを、接続されている表示デバイス５に出力して表示させる。例えば、表示処理部１６０が、動画コーデック部１３０から入力された左側表示動画像データと、データインタフェース部１７０から入力された右側表示動画像データをと合わせた４Ｋ２Ｋサイズの表示用の動画像データに対して表示処理を施した後に、表示デバイス５に出力して表示させる。
【０１０５】
このように、第１Ａの再生動作では、動画記録再生装置１に備えた、高解像度の動画像よりも小さいサイズの動画像に対応する動画コーデックを備えた２つの画像処理装置１０および画像処理装置２０が連携して並列に画像処理を行うことによって、記録媒体４に記録された高解像度の動画像に応じた表示用の動画像データを、動画記録再生装置１に接続された高解像度の画像に対応した表示デバイス５に表示させる。例えば、フルＨＤ（１９２０×１０８０）サイズの動画像に対応する動画コーデックを備えた２つの画像処理装置１０および画像処理装置２０が連携して、記録媒体４に記録されたＭＰＥＧ動画像データの左側半分の領域の動画像に対する画像処理と、右側半分の領域の動画像に対する画像処理とを並列に行うことによって、４Ｋ２Ｋ（３８４０×２１６０）サイズの動画像を表示デバイス５に表示させる。
【０１０６】
上記に述べたように、動画記録再生装置１では、同様の構成の画像処理装置１０と画像処理装置２０とが連携して並列に動作することによって、撮像部２が撮像した高解像度の動画像を記録媒体４に記録するのと同時に、同じ画角の低解像度の動画像を記録媒体４に記録する。これにより、動画記録再生装置１では、接続されている表示デバイス５が対応する画像の解像度に応じて、記録媒体４に記録されている記録用の動画像データのいずれかを適切に選択し、表示デバイス５が対応する画像の解像度に応じた表示用の動画像を表示させることができる。このとき、動画記録再生装置１に低解像度の画像を表示する表示デバイス５が接続されている場合には、低解像度の動画像に対応した記録用の動画像データを記録媒体４から読み出すことにより、１つの画像処理装置（第１の再生動作では画像処理装置１０）のみで、表示デバイス５に表示させる表示用の動画像データを生成することができる。つまり、動画記録再生装置１では、従来の技術を動画記録再生装置に適用した場合のように、高解像度の動画像から低解像度の動画像への変換やそれぞれの画像処理装置の間で動画像データの送受信を行うことなく、高解像度の動画像に対応する低解像度の動画像を表示させることができる。このことにより、動画記録再生装置１では、低解像度の動画像を表示デバイス５に表示する際の遅延時間を短縮することができる。
【０１０７】
また、動画記録再生装置１に低解像度の画像を表示する表示デバイス５が接続されている場合は、１つの画像処理装置のみで表示用の動画像データを生成することができることから、表示用の動画像データの生成を行っていない他の画像処理装置（第１の再生動作では画像処理装置２０が対応する）を、例えば、スタンバイモードやスリープモードなどの低消費電力モードにすることができる。また、例えば、表示用の動画像データの生成を行っていない他の画像処理装置への電源の供給を制御して、電源ＯＦＦ状態にすることもできる。このことにより、動画記録再生装置１では、低解像度の動画像を表示デバイス５に表示する際の低消費電力化を実現することができる。
【０１０８】
なお、動画記録再生装置１では、高解像度の動画像と同じ画角の低解像度の動画像に基づいた記録用の動画像データとして、画像処理装置１０に備えたＪＰＥＧ処理部１４０が、モーションＪＰＥＧ方式の動画像データを生成する構成にした。しかし、低解像度の動画像に基づいた記録用の動画像データを生成する方法は、ＪＰＥＧ処理部１４０を用いた方法に限定されるものではない。例えば、画像処理装置１０に備えた動画コーデック部１３０が高解像度の動画像に基づいた記録用の動画像データを生成する処理に余裕がある場合、高解像度の動画像に基づいた記録用の動画像データの生成と、低解像度の動画像に基づいた記録用の動画像データの生成とを、動画コーデック部１３０が行う構成にすることもできる。この場合、動画コーデック部１３０における動画圧縮処理（エンコード）や動画伸張処理（デコード）を時分割にする。なお、以下の説明においては、動画圧縮処理（エンコード）と動画伸張処理（デコード）とを合わせて、「動画像処理」ともいう。
【０１０９】
次に、本実施形態の動画記録再生装置１において、画像処理装置１０に備えた動画コーデック部１３０が、高解像度の動画像に基づいた記録用の動画像データと、低解像度の動画像に基づいた記録用の動画像データとを時分割で生成する、つまり、動画コーデック部１３０が動画像処理を時分割で行う場合の動作について説明する。図５は、本実施形態の動画記録再生装置１において動画像を時分割で処理する動作のタイミングの一例を模式的に示した図である。図５には、撮像部２から３フレーム分の画像信号が動画記録再生装置１に入力された場合に、動画記録再生装置１を構成する画像処理装置１０と画像処理装置２０とが、高解像度の動画像および低解像度の動画像におけるそれぞれのフレームの動画像データを生成する処理のタイミングを示しており、特に、動画コーデック部１３０と動画コーデック部２３０とが動画圧縮処理（エンコード）を行うタイミングを示している。
【０１１０】
図５に示したように、撮像部２は、画像信号をフレーム１、フレーム２、フレーム３の順番で、それぞれのフレームの画像信号を順次出力する。そして、画像処理装置１０と画像処理装置２０とのそれぞれは、それぞれのフレーム毎に、対応する領域の高解像度の動画像を生成する。このとき、画像処理装置１０では、撮像部２から入力された高解像度の動画像の左側半分の領域に対応する高解像度の動画像の生成と、低解像度の動画像の生成とを時分割で行う。図５には、画像処理装置１０に備えた動画コーデック部１３０が、最初に高解像度の動画像を生成し、続いて低解像度の動画像を生成する場合のタイミングを示している。
【０１１１】
より具体的には、動画コーデック部１３０は、撮像部２から最初に入力されたフレーム１の画像信号に応じた左側半分の高解像度（フレーム１）の動画像に引き続き、低解像度（フレーム１）の動画像を生成する。続いて、動画コーデック部１３０は、撮像部２から２番目に入力されたフレーム２の画像信号に応じた左側半分の高解像度（フレーム２）の動画像に引き続き、低解像度（フレーム２）の動画像を生成する。さらに、動画コーデック部１３０は、撮像部２から３番目に入力されたフレーム３の画像信号に応じた左側半分の高解像度（フレーム３）の動画像に引き続き、低解像度（フレーム３）の動画像を生成する。
【０１１２】
このように、動画コーデック部１３０は、撮像部２から順次入力されたそれぞれのフレーム毎に、左側半分の領域に対応する高解像度の動画像と低解像度の動画像とを時分割で、順次生成する。なお、図５には、撮像部２から入力された高解像度の動画像の右側半分の領域に対応する高解像度の動画像を、画像処理装置２０に備えた動画コーデック部２３０が生成する場合のタイミングも示しているが、動画コーデック部２３０は、右側半分の高解像度の動画像を生成するのみであるため、動画コーデック部２３０の動作のタイミングに関する詳細な説明は省略する。
【０１１３】
なお、図５では、高解像度の動画像を生成した後に低解像度の動画像を生成するように、動画像処理を時分割する場合について示したが、動画像処理を時分割する方法は、図５に示した時分割の方法に限定されるものではない。例えば、同じフレームの中で、高解像度の動画像を生成する処理と、低解像度の動画像を生成する処理とを交互に行うように、時分割することもできる。
【０１１４】
ここで、動画コーデック部１３０が高解像度の動画像と低解像度の動画像とを時分割で生成する場合の本実施形態の動画記録再生装置１の動作について説明する。なお、以下の説明においても、撮像部２が、４Ｋ２Ｋ（３８４０×２１６０）サイズの画像信号を、高解像度の動画像におけるそれぞれのフレームの画像信号として動画記録再生装置１に出力し、表示デバイス５が、ＶＧＡ（６４０×４８０）サイズの画像を表示する、低解像度の画像に対応した表示デバイスであるものとして説明する。また、画像処理装置１０に備えた動画コーデック部１３０と、画像処理装置２０に備えた動画コーデック部２３０とのそれぞれは、４Ｋ２Ｋサイズよりも小さいフルＨＤ（１９２０×１０８０）サイズの動画像に対応する動画コーデックであるものとして説明する。
【０１１５】
そして、撮像部２から入力された１フレームの４Ｋ２Ｋサイズの動画像の領域を左右の２つの領域に分割し、左側半分の領域の動画像に対する画像処理を画像処理装置１０が行い、右側半分の領域の動画像に対する画像処理を画像処理装置２０が行うものとして説明する。また、画像処理装置１０が、撮像部２から入力された１フレームの４Ｋ２Ｋサイズの動画像と同じ画角で低解像度のＶＧＡサイズの動画像を生成するものとして説明する。
【０１１６】
＜第２の記録動作＞
まず、動画記録再生装置１が、高解像度の動画像と低解像度の動画像とを記録する第２の記録動作について説明する。動画記録再生装置１における第２の記録動作では、第１の記録動作と同様に、画像処理装置１０に備えた動画コーデック部１３０と、画像処理装置２０に備えた動画コーデック部２３０とのそれぞれが、高解像度の動画像において対応する領域の記録用の動画像データを生成して記録媒体４に記録させる。また、動画記録再生装置１における第２の記録動作では、第１の記録動作と異なり、画像処理装置１０に備えた動画コーデック部１３０が、動画像データの生成の処理を時分割することによって低解像度の動画像に対応した記録用の動画像データを生成して記録媒体４に記録させる。なお、本第２の記録動作でも、動画コーデック部１３０と動画コーデック部２３０とのそれぞれが行う動画圧縮処理（エンコード）が、ＭＰＥＧ圧縮処理であるものとして説明する。
【０１１７】
図６は、本実施形態の動画記録再生装置１において動画像を記録する第２の記録動作の一例を模式的に示した図である。図６には、図１に示した動画記録再生装置１のブロック図上に、本第２の記録動作におけるそれぞれの動画像データの経路を示している。なお、本第２の記録動作でも、撮像部２から入力された高解像度の動画像のそれぞれのフレームの画像信号に基づいて生成した、それぞれのフレームの記録用の動画像データを記録媒体４に順次記録させるが、以下の説明においても、説明を容易にするため、撮像部２から入力された１つのフレームの動画像に対する処理について説明する。
【０１１８】
第２の記録動作も、第１の記録動作と同様に、動画記録再生装置１を搭載した撮像システムの使用者（ユーザ）がユーザインタフェース部３を操作して、撮像システムの動作モードを動画記録モードに設定することによって開始する。
【０１１９】
撮像システムの動作モードが動画記録モードに設定されると、ユーザインタフェース部３は、第１の記録動作と同様に、動画記録モードが設定されたことを表す情報を動画記録再生装置１内の画像処理装置１０に備えた制御部１００に出力し、制御部１００は、撮像部２から入力された高解像度の動画像の右側半分の領域に対する画像処理を画像処理装置２０が実行することを表す情報を、画像処理装置２０に送信する。そして、制御部１００は、撮像部２から入力された高解像度の動画像の左側半分の領域に対する画像処理を実行するために、画像処理装置１０に備えたそれぞれの構成要素の動作を制御する。
【０１２０】
画像処理装置１０における第２の記録動作では、図６に示した経路Ｃ２１の動画像データの経路で、撮像部２から入力された高解像度の動画像の左側半分の領域の画像信号に基づいて生成した左側ＭＰＥＧ動画像データを記録媒体４に記録させる。なお、第２の記録動作において、経路Ｃ２１の動画像データの経路で処理を行う画像処理装置１０内のそれぞれの構成要素の動作は、第１の記録動作において経路Ｃ１１の動画像データの経路で処理を行う画像処理装置１０内のそれぞれの構成要素の動作と同様である。従って、経路Ｃ２１の動画像データの経路で行うそれぞれの構成要素の動作に関する詳細な説明は省略する。
【０１２１】
また、画像処理装置２０に備えた制御部２００は、画像処理装置１０に備えた制御部１００から送信された、画像処理を実行することを表す情報に応じて、撮像部２から入力された高解像度の動画像の右側半分の領域に対する画像処理を実行するために、画像処理装置２０に備えたそれぞれの構成要素の動作を制御する。
【０１２２】
画像処理装置２０における第２の記録動作では、図６に示した経路Ｃ２２の動画像データの経路で、撮像部２から入力された高解像度の動画像の右側半分の領域の画像信号に基づいて生成した右側ＭＰＥＧ動画像データを記録媒体４に記録させる。なお、第２の記録動作において、経路Ｃ２２の動画像データの経路で処理を行う画像処理装置１０内のそれぞれの構成要素の動作は、第１の記録動作において経路Ｃ１２の動画像データの経路で処理を行う画像処理装置１０内のそれぞれの構成要素の動作と同様である。従って、経路Ｃ２２の動画像データの経路で行うそれぞれの構成要素の動作に関する詳細な説明は省略する。
【０１２３】
また、画像処理装置１０における第２の記録動作では、左側ＭＰＥＧ動画像データおよび右側ＭＰＥＧ動画像データの記録媒体４への記録動作と同時に、図６に示した経路Ｃ２３の動画像データの経路で、撮像部２から入力された高解像度の動画像と同じ画角で低解像度のＭＰＥＧ方式の記録用の動画像データ（以下、「低解像度ＭＰＥＧ動画像データ」という）を、記録媒体４に記録させる。例えば、画像処理装置１０における第２の記録動作では、経路Ｃ２３の動画像データの経路で、撮像部２から入力された４Ｋ２Ｋサイズの動画像と同じ画角のＶＧＡサイズの低解像度ＭＰＥＧ動画像データを記録媒体４に記録させる。
【０１２４】
より具体的には、まず、画像縮小部１１０が、第１の記録動作と同様に、撮像部２から入力された高解像度の動画像の画像信号に対して、例えば、間引き処理などのリサイズ処理を施して生成した、高解像度の動画像と同じ画角で画素数が少ない低解像度の動画像の画像信号を、画像処理部１２２に出力する。これにより、画像処理部１２２は、画像縮小部１１０から入力された低解像度の動画像の画像信号に対して、画像処理部１２１と同様に、ノイズ除去やＹＣ変換処理などの各種の画像処理を施して生成した低解像度の動画像の画像データを、動画コーデック部１３０に出力する。続いて、動画コーデック部１３０は、画像処理部１２２から入力された低解像度の動画像の画像データに対して、ＭＰＥＧ圧縮処理（エンコード）を施して低解像度ＭＰＥＧ動画像データを生成し、メディアインタフェース部１５０に出力する。このとき、動画コーデック部１３０は、低解像度ＭＰＥＧ動画像データを生成する処理を、左側ＭＰＥＧ動画像データを生成する処理と時分割して行う。
【０１２５】
例えば、まず、画像縮小部１１０が、撮像部２から入力された４Ｋ２Ｋサイズの動画像の画像信号に対してリサイズ処理を施して生成したＶＧＡサイズの動画像の画像信号を画像処理部１２２に出力し、画像処理部１２２が、画像縮小部１１０から入力されたＶＧＡサイズの動画像の画像信号に対して画像処理を施して生成したＶＧＡサイズの動画像の画像データを動画コーデック部１３０に出力する。そして、動画コーデック部１３０が、画像処理部１２２から入力されたＶＧＡサイズの動画像の画像データに対してＭＰＥＧ圧縮処理を施して生成した低解像度ＭＰＥＧ動画像データをメディアインタフェース部１５０に出力する。
【０１２６】
これにより、第２の記録動作では、メディアインタフェース部１５０が、第１の記録動作と同様に、動画コーデック部１３０から入力された左側ＭＰＥＧ動画像データと、データインタフェース部１７０から入力された右側ＭＰＥＧ動画像データをと合わせて、撮像部２から入力された高解像度の動画像における記録用の動画像データ（以下、「高解像度ＭＰＥＧ動画像データ」という）として、記録媒体４に記録させる。また、メディアインタフェース部１５０は、動画コーデック部１３０から入力された低解像度ＭＰＥＧ動画像データを、撮像部２から入力された高解像度の動画像に対応する低解像度の記録用の動画像データとして、記録媒体４に記録させる。例えば、メディアインタフェース部１５０が、動画コーデック部１３０から入力された左側ＭＰＥＧ動画像データと、データインタフェース部１７０から入力された右側ＭＰＥＧ動画像データをと合わせた４Ｋ２Ｋサイズの高解像度ＭＰＥＧ動画像データを記録媒体４に記録させ、動画コーデック部１３０から入力されたＶＧＡサイズの低解像度ＭＰＥＧ動画像データを記録媒体４に記録させる。このとき、メディアインタフェース部１５０は、高解像度ＭＰＥＧ動画像データと低解像度ＭＰＥＧ動画像データとを関連付けて記録媒体４に記録する。
【０１２７】
このように、第２の記録動作では、第１の記録動作と同様に、動画記録再生装置１に備えた、高解像度の動画像よりも小さいサイズの動画像に対応する動画コーデックを備えた２つの画像処理装置１０および画像処理装置２０が連携して並列に画像処理を行うことによって、高解像度の動画像における記録用の動画像データを記録媒体４に記録する。また、第２の記録動作では、画像処理装置１０が、撮像部２から入力された高解像度の動画像と同じ画角の低解像度の動画像に対する画像処理を、高解像度の動画像に対する画像処理と時分割で行うことによって、高解像度の動画像と同じ画角の低解像度の動画像における記録用の動画像データを記録媒体４に記録する。例えば、フルＨＤ（１９２０×１０８０）サイズの動画像に対応する動画コーデックを備えた２つの画像処理装置１０および画像処理装置２０が連携して、第１の記録動作と同様に、撮像部２から入力された高解像度の動画像の左側半分の領域に対する画像処理と右側半分の領域に対する画像処理とを並列に行うことによって、４Ｋ２Ｋ（３８４０×２１６０）サイズの動画像データを記録媒体４に記録する。また、画像処理装置１０が、撮像部２から入力された４Ｋ２Ｋサイズの動画像と同じ画角のＶＧＡサイズの動画像に対する画像処理を時分割で行うことによって、４Ｋ２Ｋサイズの動画像と同じ画角のＶＧＡサイズの動画像データを記録媒体４に記録する。
【０１２８】
これにより、動画記録再生装置１では、ＶＧＡサイズの画像を表示する表示デバイス５が接続されている場合に、記録した４Ｋ２Ｋサイズの動画像からＶＧＡサイズの動画像への変換を行うことなく、接続されている表示デバイス５に、記録した４Ｋ２Ｋサイズの動画像に対応するＶＧＡサイズの動画像を表示させることができる。
【０１２９】
また、第２の記録動作では、動画記録再生装置１を構成するそれぞれの画像処理装置（画像処理装置１０および画像処理装置２０）が、例えば、静止画像に対応したＪＰＥＧ処理部を備えていない場合でも、高解像度の動画像データと低解像度の動画像データとを、記録媒体４に記録することができる。
【０１３０】
なお、第２の記録動作では、画像処理装置１０に備えた動画コーデック部１３０における動画像データの生成の処理を時分割することによって、高解像度の動画像データと低解像度の動画像データと生成して記録媒体４に記録させる場合について説明した。しかし、低解像度の動画像データを生成する方法は、動画コーデック部１３０による時分割の処理に限定されるものではない。
【０１３１】
例えば、画像処理装置１０に備えた動画コーデック部１３０と、画像処理装置２０に備えた動画コーデック部２３０とのそれぞれにおける高解像度の動画像データの生成処理の余裕時間を合わせることによって、低解像度の動画像データを生成するための時間を確保できる場合がある。この場合には、例えば、動画コーデック部１３０と動画コーデック部２３０とのそれぞれで動画像データの生成処理を時分割し、１フレームのＶＧＡサイズの動画像の領域を左右の２つの領域に分割したそれぞれの領域に対応する低解像度の動画像データの生成を、動画コーデック部１３０と動画コーデック部２３０とのそれぞれで行う構成にすることもできる。より具体的には、例えば、動画コーデック部１３０が、高解像度の動画像データの生成処理の余裕時間に、左側半分の領域に対応する低解像度の動画像データを生成し、動画コーデック部２３０が、高解像度の動画像データの生成処理の余裕時間に、右側半分の領域に対応する低解像度の動画像データを生成する。これにより、同様に、高解像度の動画像データと低解像度の動画像データとを生成することができる。
【０１３２】
また、例えば、動画コーデック部１３０と動画コーデック部２３０とのそれぞれが高解像度の動画像データを生成する処理の割合を変更し（不均一にし）、高解像度の動画像データを生成する割合の少ない、いずれか一方の動画コーデック部における動画像データの生成処理を時分割する構成にすることもできる。より具体的には、例えば、動画コーデック部１３０が、１フレームの４Ｋ２Ｋサイズの動画像の４割の左側の領域に対応する高解像度の動画像データの生成と、低解像度の動画像データの生成とを時分割で行い、動画コーデック部２３０が、１フレームの４Ｋ２Ｋサイズの動画像の６割の右側の領域に対応する高解像度の動画像データの生成を行う構成にすることもできる。ただし、この場合には、動画コーデック部１３０または動画コーデック部２３０のいずれか一方のみで、低解像度の動画像データが生成することができるように、それぞれの動画コーデック部が高解像度の動画像データを生成する処理を行う割合を決定することが望ましい。これにより、動画記録再生装置１の消費電力の低減を望むことができる。
【０１３３】
＜第２の再生動作＞
続いて、動画記録再生装置１が、低解像度の動画像を再生する第２の再生動作について説明する。動画記録再生装置１が低解像度の動画像を再生する第２の再生動作では、画像処理装置１０に備えた動画コーデック部１３０が、記録媒体４に記録されたＭＰＥＧ方式の低解像度の記録用の動画像データに応じた表示用の動画像データを生成して表示デバイス５に表示させる。
【０１３４】
図７は、本実施形態の動画記録再生装置１において動画像を再生する第２の再生動作の一例を模式的に示した図である。図７には、図１に示した動画記録再生装置１のブロック図上に、本第２の再生動作におけるそれぞれの動画像データの経路を示している。なお、本第２の再生動作では、記録媒体４に記録された低解像度ＭＰＥＧ動画像データのそれぞれのフレームの記録用の動画像データに基づいて生成した表示用の動画像データを表示デバイス５に順次表示させるが、以下の説明においては、説明を容易にするため、記録媒体４から入力された１つのフレームの低解像度ＭＰＥＧ動画像データに対する処理について説明する。
【０１３５】
第２の再生動作も、第１の再生動作と同様に、動画記録再生装置１を搭載した撮像システムの使用者（ユーザ）がユーザインタフェース部３を操作して、撮像システムの動作モードを動画再生モードに設定することによって開始する。
【０１３６】
撮像システムの動作モードが動画再生モードに設定されると、ユーザインタフェース部３は、第１の再生動作と同様に、動画再生モードが設定されたことを表す情報を動画記録再生装置１内の画像処理装置１０に備えた制御部１００に出力する。これにより、制御部１００は、記録媒体４から低解像度ＭＰＥＧ動画像データを読み出して、読み出した低解像度ＭＰＥＧ動画像データに対する画像処理を実行するために、画像処理装置１０に備えたそれぞれの構成要素の動作を制御する。なお、動画記録再生装置１に接続されている表示デバイス５は、ＶＧＡサイズの画像を表示する低解像度の画像に対応した表示デバイスであるため、制御部１００は、第１の再生動作と同様に、動画再生モードに関する情報を、画像処理装置２０には送信しない。
【０１３７】
画像処理装置１０における第２の再生動作では、図７に示した経路Ｃ２４の動画像データの経路で、記録媒体４から読み出した低解像度ＭＰＥＧ動画像データに基づいて生成した表示用の動画像データを、表示デバイス５に表示させる。例えば、画像処理装置１０における第２の再生動作では、経路Ｃ２４の動画像データの経路で、記録媒体４から読み出したＶＧＡサイズの低解像度ＭＰＥＧ動画像データに基づいて生成したＶＧＡサイズの表示用の動画像データを、表示デバイス５に表示させる。
【０１３８】
より具体的には、まず、メディアインタフェース部１５０が、記録媒体４に記録された低解像度ＭＰＥＧ動画像データを読み出し、読み出した低解像度ＭＰＥＧ動画像データを動画コーデック部１３０に出力する。続いて、動画コーデック部１３０は、メディアインタフェース部１５０から入力された低解像度ＭＰＥＧ動画像データに対してＭＰＥＧ伸張処理（デコード）を施して表示用の動画像データを生成し、表示処理部１６０に出力する。これにより、表示処理部１６０が、動画コーデック部１３０から入力された表示用の動画像データに対して表示処理を施し、表示処理部を施した後の表示用の画像データを、接続されている表示デバイス５に出力して表示させる。
【０１３９】
例えば、まず、メディアインタフェース部１５０が、記録媒体４に記録されたＶＧＡサイズの低解像度ＭＰＥＧ動画像データを読み出して動画コーデック部１３０に出力し、動画コーデック部１３０が、メディアインタフェース部１５０から入力されたＶＧＡサイズの低解像度ＭＰＥＧ動画像データに対してＭＰＥＧ伸張処理を施して生成したＶＧＡサイズの表示用の動画像データを表示処理部１６０に出力する。これにより、表示処理部１６０が、動画コーデック部１３０から入力されたＶＧＡサイズの表示用の動画像データに対して表示処理を施した後の表示用の画像データを表示デバイス５に出力して表示させる。
【０１４０】
このように、第２の再生動作では、第１の再生動作と同様に、動画記録再生装置１に備えた１つの画像処理装置１０が画像処理を行うことによって、高解像度の動画像と同じ画角で画素数が少ない低解像度の動画像に応じた表示用の動画像データを、低解像度の画像に対応した表示デバイス５に表示させる。例えば、画像処理装置１０が、４Ｋ２Ｋ（３８４０×２１６０）サイズの動画像データと関連付けて記録媒体４に記録されたＶＧＡサイズの動画像データを読み出して画像処理を行うことによって、画像処理装置１０のみでＶＧＡサイズの動画像を表示デバイス５に表示させる。
【０１４１】
このように、動画記録再生装置１では、第２の再生動作でも、ＶＧＡサイズの画像を表示する表示デバイス５が接続されている場合に、記録した４Ｋ２Ｋサイズの動画像データに対応するＶＧＡサイズの動画像における表示用の動画像データへの変換を行うことなく、接続されている表示デバイス５にＶＧＡサイズの動画像を表示させることができる。
【０１４２】
なお、第２の再生動作において、画像処理装置１０と画像処理装置２０とが連携して並列に動作することによって、記録媒体４に記録されている高解像度ＭＰＥＧ動画像データに応じた表示用の動画像データを表示させる動作は、図４に示した第１Ａの再生動作と同様である。従って、高解像度ＭＰＥＧ動画像データに応じた表示用の動画像データを表示させる際のそれぞれの構成要素の動作に関する詳細な説明は省略する。
【０１４３】
上記に述べたように、動画記録再生装置１では、第２の記録動作によっても、同様の構成の画像処理装置１０と画像処理装置２０とが連携して並列に動作することによって、撮像部２が撮像した高解像度の動画像を記録媒体４に記録するのと同時に、同じ画角の低解像度の動画像を記録媒体４に記録する。そして、動画記録再生装置１では、第２の再生動作によっても、接続されている表示デバイス５が対応する画像の解像度に応じて、記録媒体４に記録されている記録用の動画像データのいずれかを適切に選択し、表示デバイス５が対応する画像の解像度に応じた表示用の動画像を表示させることができる。このことにより、動画記録再生装置１では、第２の再生動作によっても、低解像度の動画像を表示デバイス５に表示する際の遅延時間の短縮、および低消費電力化を実現することができる。
【０１４４】
本実施形態によれば、高解像度の動画像におけるそれぞれのフレームの画像信号が入力されると、この画像信号の領域を第１の領域（左側の領域）と第２の領域（右側の領域）とに分割し、左側の領域の画像信号に対して動画像処理（ＭＰＥＧ圧縮処理（エンコード））を施した第１の動画像データ（左側ＭＰＥＧ動画像データ）を生成する画像処理装置である第１の画像処理装置（画像処理装置１０）と、右側の領域の画像信号に対して動画像処理（ＭＰＥＧ圧縮処理（エンコード））を施した第２の動画像データ（右側ＭＰＥＧ動画像データ）を生成する画像処理装置である第２の画像処理装置（画像処理装置２０）と、を備え、左側ＭＰＥＧ動画像データと右側ＭＰＥＧ動画像データとを合わせた高解像度の動画像に対応する高解像度の動画像データ（ＭＰＥＧ動画像データまたは高解像度ＭＰＥＧ動画像データ）と、少なくとも画像処理装置１０および画像処理装置２０のいずれか一方によって生成した、高解像度の動画像と同じ画角の低解像度の動画像に対応した低解像度の動画像データ（モーションＪＰＥＧ動画像データまたは低解像度ＭＰＥＧ動画像データ）とを関連付けて記録すると共に、接続された表示デバイス（表示デバイス５）が対応する画像の解像度に応じて、記録した高解像度の動画像データ（ＭＰＥＧ動画像データまたは高解像度ＭＰＥＧ動画像データ）または低解像度の動画像データ（モーションＪＰＥＧ動画像データまたは低解像度ＭＰＥＧ動画像データ）のいずれか一方を選択する動画記録再生装置（動画記録再生装置１）が構成される。
【０１４５】
また、本実施形態によれば、動画記録再生装置１は、低解像度の動画像データ（モーションＪＰＥＧ動画像データまたは低解像度ＭＰＥＧ動画像データ）に基づいた動画像を表示デバイス５に表示させる際に、画像処理装置１０または画像処理装置２０のいずれか一方によって、表示デバイス５に表示させるための、低解像度の動画像データ（モーションＪＰＥＧ動画像データまたは低解像度ＭＰＥＧ動画像データ）に基づいた動画像（表示用の動画像データ）を生成する動画記録再生装置１が構成される。
【０１４６】
また、本実施形態によれば、動画記録再生装置１は、画像信号の領域を、予め定めた割合で左側の領域と右側の領域とに分割し、画像処理装置１０と画像処理装置２０とは、対応する領域の画像信号に対する動画像処理（ＭＰＥＧ圧縮処理（エンコード））を並列に行う動画記録再生装置１が構成される。
【０１４７】
また、本実施形態によれば、低解像度の動画像データ（モーションＪＰＥＧ動画像データまたは低解像度ＭＰＥＧ動画像データ）も生成する画像処理装置は、対応する領域の画像信号に対して施す動画像処理（ＭＰＥＧ圧縮処理（エンコード））が終了した後に、高解像度の動画像における画像信号から画素数を少なくした画像信号に基づいて、低解像度の動画像データ（モーションＪＰＥＧ動画像データまたは低解像度ＭＰＥＧ動画像データ）を生成する動画記録再生装置１が構成される。
【０１４８】
また、本実施形態によれば、動画記録再生装置１は、画像信号の領域を左側の領域と右側の領域とに分割する割合を不均一にし、ここで分割した領域に含まれる画像信号の数が少ない領域に対応する画像処理装置は、高解像度の動画像における画像信号から画素数を少なくした画像信号に基づいて、低解像度の動画像データ（モーションＪＰＥＧ動画像データまたは低解像度ＭＰＥＧ動画像データ）を生成する動画記録再生装置１が構成される。
【０１４９】
また、本実施形態によれば、動画記録再生装置１は、画像処理装置１０または画像処理装置２０のいずれか一方のみが、低解像度の動画像データ（モーションＪＰＥＧ動画像データまたは低解像度ＭＰＥＧ動画像データ）を生成するように、画像信号の領域を左側の領域と右側の領域とに分割する割合を決定する動画記録再生装置１が構成される。
【０１５０】
上記に述べたとおり、本発明を実施するための形態によれば、動画記録再生装置を構成する同様の構成の２つの画像処理装置が連携して並列に動作することによって、高解像度の動画像を記録するのと同時に、高解像度の動画像に対応する同じ画角の低解像度の動画像を記録する。これにより、本発明を実施するための形態では、動画記録再生装置に接続されている表示デバイスが対応する画像の解像度に応じて、記録されている高解像度の動画像または低解像度の動画像のいずれかを適切に選択し、表示デバイスが対応する画像の解像度に応じた表示をさせることができる。このとき、本発明を実施するための形態では、動画記録再生装置に低解像度の画像を表示する表示デバイスが接続されている場合に、低解像度の動画像を表示するための処理を、１つの画像処理装置（実施形態においては、画像処理装置１０）のみで行う。これにより、本発明を実施するための形態では、動画記録再生装置が、従来の技術を動画記録再生装置に適用した場合のように、高解像度の動画像から低解像度の動画像への変換やそれぞれの画像処理装置の間で動画像データの送受信を行うことなく、高解像度の動画像に対応する低解像度の動画像を表示させることができる。このことにより、本発明を実施するための形態では、動画記録再生装置が低解像度の動画像を表示デバイスに表示する際の遅延時間を短縮することができる。
【０１５１】
また、本発明を実施するための形態では、動画記録再生装置に低解像度の画像を表示する表示デバイスが接続されている場合に、低解像度の動画像を表示するための処理を１つの画像処理装置（実施形態においては、画像処理装置１０）のみで行うことができるため、低解像度の動画像を表示するための処理を行っていない他の画像処理装置（実施形態においては、画像処理装置２０）を、低消費電力モードにすることができる。このことにより、本発明を実施するための形態では、動画記録再生装置が低解像度の動画像を表示デバイスに表示する際の消費電力を低減することができる。
【０１５２】
なお、本実施形態においては、動画記録再生装置１を構成する画像処理装置１０と画像処理装置２０とが同じ構成の画像処理装置である場合について説明したが、動画記録再生装置１を構成する画像処理装置１０の構成要素と、画像処理装置２０の構成要素とは、本発明を実施するための形態に限定されるものではなく、異なる構成要素を備えた画像処理装置によって、動画記録再生装置を構成してもよい。例えば、本実施形態において動画記録再生装置１を構成する画像処理装置２０が、画像縮小部２１０、画像処理部２２２、ＪＰＥＧ処理部２４０、メディアインタフェース（Ｉ／Ｆ）部２５０、および表示処理部２６０を備えていない構成であってもよい。
【０１５３】
また、本実施形態においては、例えば、動画記録再生装置１を構成する画像処理装置１０に備えた画像処理部１２１と画像処理部１２２とのそれぞれは、画像信号に対して同様の画像処理を施す画像処理部である場合について説明したが、画像処理部１２１と画像処理部１２２とのそれぞれが画像信号に対して施す画像処理は、本発明を実施するための形態に限定されるものではなく、異なる画像処理であってもよい。例えば、画像処理部１２２が、本実施形態の動画記録再生装置１を搭載した撮像システムにおいて撮影する被写体を確認するための動画を表示デバイス５に表示させる、いわゆる、ライブビュー機能に応じた画像処理を行う画像処理部であってもよい。
【０１５４】
また、本実施形態においては、動画記録再生装置１を構成する画像処理装置１０に、表示デバイス５が接続されている構成について説明したが、表示デバイス５が接続される画像処理装置は、本発明を実施するための形態に限定されるものではなく、画像処理装置２０、または画像処理装置１０と画像処理装置２０との両方に表示デバイスが接続された構成であってもよい。そして、画像処理装置１０と画像処理装置２０との両方に表示デバイスが接続される場合、それぞれの画像処理装置に接続される表示デバイスが対応する画像の解像度は、異なる解像度であってもよい。例えば、画像処理装置１０にＶＧＡサイズの画像を表示する低解像度の画像に対応した表示デバイス５が接続され、画像処理装置２０に４Ｋ２Ｋサイズの画像を表示する高解像度の画像に対応した表示デバイスが接続される構成であってもよい。
【０１５５】
また、本実施形態においては、動画記録再生装置１を構成する画像処理装置１０および画像処理装置２０に備えたそれぞれの構成要素が、直接接続されている構成を示した。つまり、前段の構成要素の出力が、後段の構成要素に直接入力される構成を示した。しかし、動画記録再生装置を構成する構成要素同士の接続は、本発明を実施するための形態に限定されるものではない。例えば、動画記録再生装置を構成する画像処理装置１０および画像処理装置２０に備えたそれぞれの構成要素がバスに接続され、処理を行う画像データ（画像信号や動画像データ）を、同じバスに接続されたＤＲＡＭ（Ｄｙｎａｍｉｃ  Ｒａｎｄｏｍ  Ａｃｃｅｓｓ  Ｍｅｍｏｒｙ）などの一時記憶用のメモリを介して、ＤＭＡ（Ｄｉｒｅｃｔ  Ｍｅｍｏｒｙ  Ａｃｃｅｓｓ）によってやり取りする構成にすることもできる。また、例えば、動画記録再生装置を構成するそれぞれの画像処理装置内で、画像処理装置に備えたそれぞれの構成要素がバスに接続され、それぞれの画像処理装置に専用または共通に接続されたＤＲＡＭに対するＤＭＡによって、処理を行う画像データ（画像信号や動画像データ）をやり取りする構成にすることもできる。このような構成の動画記録再生装置においても、本発明の考え方を適用することによって、本実施形態の動画記録再生装置１と同様の動作をすることができる。つまり、２つの動画コーデック部が連携して並列に動作することによって高解像度の動画像を記録するのと同時に、ＪＰＥＧ処理部や動画コーデック部が、高解像度の動画像に対応する同じ画角の低解像度の動画像を記録することができる。そして、この構成の動画記録再生装置に接続されている表示デバイスが対応する画像の解像度に応じて、記録されている高解像度の動画像または低解像度の動画像を、表示デバイスに表示させることができる。
【０１５６】
また、本実施形態においては、動画記録再生装置１を構成する画像処理装置１０と画像処理装置２０との２つの画像処理装置が連携して並列に動作する場合について説明した。このため、本実施形態においては、１フレームの４Ｋ２Ｋ（３８４０×２１６０）サイズの動画像の領域を左右の２つの領域に分割し、左側半分の領域の動画像に対する画像処理を画像処理装置１０が行い、右側半分の領域の動画像に対する画像処理を画像処理装置２０が行う場合について説明した。しかし、動画像の領域を分割する方法は、本発明を実施するための形態に限定されるものではない。例えば、１フレームの４Ｋ２Ｋ（３８４０×２１６０）サイズの動画像の領域を上下の２つの領域に分割し、上側半分の領域の動画像に対する画像処理を画像処理装置１０が行い、下側半分の領域の動画像に対する画像処理を画像処理装置２０が行う構成にすることもできる。また、画像処理装置１０と画像処理装置２０とのそれぞれが画像処理を行う領域の割合を異ならせた構成にすることもできる。
【０１５７】
また、本実施形態においては、動画記録再生装置１を構成する画像処理装置１０と画像処理装置２０との２つの画像処理装置が連携して並列に動作する場合について説明した。しかし、連携して並列に動作する画像処理装置の数は、本発明を実施するための形態に限定されるものではなく、さらに多くの画像処理装置が連携して並列に動作する構成にすることもできる。例えば、動画記録再生装置を構成する４つの画像処理装置が連携して並列に動作する構成にすることもできる。この構成においては、例えば、１フレームの４Ｋ２Ｋ（３８４０×２１６０）サイズの動画像の領域を４つの領域に分割し、分割したそれぞれの領域の動画像に対する画像処理を、連携して並列に動作する４つの画像処理装置のそれぞれが行う構成にすることもできる。この場合には、それぞれの画像処理装置に備えた動画コーデックの動作クロックの周波数を、４Ｋ２Ｋサイズの動画像に対応した動画コーデックの１／４の周波数にすることができる。すなわち、本発明を実施するための形態では、連携して並列に動作する画像処理装置の数に応じて、１フレームの動画像の領域の分割数を多くすることによって、動画記録再生装置に備えた構成要素が動作するクロックの周波数を抑える、つまり、（１／画像処理装置の数）の周波数に抑えることができる。
【０１５８】
また、本実施形態においては、動画記録再生装置１を構成する画像処理装置１０と画像処理装置２０との２つの画像処理装置が連携して並列に動作することによって、それぞれの画像処理装置に備えた動画コーデック部（動画コーデック部１３０および動画コーデック部２３０）が対応するフルＨＤ（１９２０×１０８０）の大きさ（サイズ）の動画像よりも大きい（高精細な）、４Ｋ２Ｋ（３８４０×２１６０）の大きさ（サイズ）の動画像に対応した高解像度の動画像データを記録する場合について説明した。しかし、動画記録再生装置１を構成する複数の画像処理装置が連携して並列に動作することによって対応することができる動画像の大きさ（サイズ）は、本発明を実施するための形態に限定されるものではない。すなわち、動画記録再生装置１を構成する画像処理装置の構成に応じて、本発明の考え方を適用することによって、４Ｋ２Ｋ（３８４０×２１６０）の大きさ（サイズ）の動画像よりもさらに高精細な、つまり、さらに大きなサイズの動画像に対する動画記録再生装置を構成することができる。
【０１５９】
また、本実施形態においては、動画記録再生装置１に接続された表示デバイス５が表示することができる画像の解像度を設定する構成、つまり、動画像を表示デバイス５に表示させる際に、記録媒体４に記録されている高解像度の動画像または低解像度の動画像のいずれの動画像を読み出して画像処理を実行するのかを切り替える構成に関しては、特に規定していない。この動画記録再生装置１において記録媒体４から読み出す動画像データの切り替えは、例えば、本実施形態の動画記録再生装置１を搭載した撮像システムを製造する際に事前に設定しておく構成や、撮像システムに備えたユーザインタフェース部３をユーザが操作して設定する構成にすることが考えられる。また、表示デバイスが動画記録再生装置１に接続された際に、接続された表示デバイスから取得して設定する構成にすることもできる。
【０１６０】
また、本実施形態においては、動画像の領域を分割するそれぞれの領域に関しては、特に規定していない。この動画像の領域を分割するそれぞれの領域は、単純に領域を分割するのみではなく、例えば、分割したそれぞれの領域の境界部分が互いに重複する、いわゆる、オーバーラップする領域を設けることもできる。このオーバーラップする領域を設けることによって、分割したそれぞれの領域の画像信号や動画像データに対して別々に画像処理を行った場合でも、表示デバイスに表示される表示処理を施した後の表示用の画像データにおいて、分割したそれぞれの領域の繋ぎ目を目立たなくすることができる。
【０１６１】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１６２】
１・・・動画記録再生装置
２・・・撮像部
３・・・ユーザインタフェース部
４・・・記録媒体
５・・・表示デバイス
１０・・・画像処理装置（動画記録再生装置，第１の画像処理装置）
１００・・・制御部（第１の画像処理装置）
１１０・・・画像縮小部（第１の画像処理装置）
１２１・・・画像処理部（第１の画像処理装置）
１２２・・・画像処理部（第１の画像処理装置）
１３０・・・動画コーデック部（第１の画像処理装置）
１４０・・・ＪＰＥＧ処理部（第１の画像処理装置）
１５０・・・カードインタフェース部（第１の画像処理装置）
１６０・・・表示処理部（第１の画像処理装置）
１７０・・・データインタフェース部（第１の画像処理装置）
２０・・・画像処理装置（動画記録再生装置，第２の画像処理装置）
２００・・・制御部（第２の画像処理装置）
２１０・・・画像縮小部（第２の画像処理装置）
２２１・・・画像処理部（第２の画像処理装置）
２２２・・・画像処理部（第２の画像処理装置）
２３０・・・動画コーデック部（第２の画像処理装置）
２４０・・・ＪＰＥＧ処理部（第２の画像処理装置）
２５０・・・カードインタフェース部（第２の画像処理装置）
２６０・・・表示処理部（第２の画像処理装置）
２７０・・・データインタフェース部（第２の画像処理装置）
【図１】
0006300651.tif 000002
【図２】
0006300651.tif 000003
【図３】
0006300651.tif 000004
【図４】
0006300651.tif 000005
【図５】
0006300651.tif 000006
【図６】
0006300651.tif 000007
【図７】
0006300651.tif 000008